(57)【要約】【課題】ＭＢＭＳサービスを要請した移動端末にＭＢＭＳサービスを提供する装置及び方法を提供する。【解決手段】本発明は、所望するＭＢＭＳサービスを要請し、要請に応答して提供されるＭＢＭＳデータを受信する複数の移動端末と、サービスを要請した移動端末のうち、無線接続された移動端末に前記ＭＢＭＳサービスによる関連データを伝送する複数の無線網制御器と、無線網制御器とそれぞれ連結され、サービスを要請した移動端末のＭＢＭＳサービスに関連された手続きを制御する複数のＳＧＳＮと、を含み、ＭＢＭＳサービス別に基準ＳＧＳＮを指定し、基準ＳＧＳＮはＭＢＭＳサービスに対するＭＢＭＳデータを、無線網制御器を通じて前記ＭＢＭＳサービスを要請した移動端末に伝送することを特徴とする。【選択図】図１８
2004166197.tif 000002
【特許請求の範囲】
【請求項１】
符号分割多重接続移動通信システムで、ＭＢＭＳサービスを要請した移動端末にＭＢＭＳサービスを提供する装置において、
所望するＭＢＭＳサービスを要請し、前記要請に応答して提供される前記ＭＢＭＳデータを受信する複数の移動端末と、
前記サービスを要請した移動端末のうち、無線接続された移動端末に前記ＭＢＭＳサービスによる関連データを伝送する複数の無線網制御器と、
前記無線網制御器とそれぞれ連結され、前記サービスを要請した移動端末の前記ＭＢＭＳサービスに関連された手続きを制御する複数のＳＧＳＮと、からなり、
ここで、前記基準ＳＧＳＮは個別的なＭＢＭＳサービス中の一つのために独点的に指定され、前記基準ＳＧＳＮは対象ＭＢＭＳサービスに対するＭＢＭＳデータを、前記無線網制御器を通じて前記ＭＢＭＳサービスを要請した移動端末に伝送することを特徴とする装置。
【請求項２】
前記ＭＢＭＳサービス別基準ＳＧＳＮは、前記ＭＢＭＳサービスを最初に要請した移動端末との無線接続が可能な無線網制御器により指定されることを特徴とする請求項１に記載の装置。
【請求項３】
前記ＭＢＭＳサービス別基準ＳＧＳＮは、前記ＭＢＭＳサービスを最初に要請した移動端末に対してＴＭＳＩを割り当てたＳＧＳＮに指定することを特徴とする請求項１に記載の装置。
【請求項４】
複数の無線網制御器を含む第１グループと、前記第１グループ内の各無線網制御器と接続されることができる複数のＳＧＳＮを含む第２グループと、前記複数の無線網制御器と無線接続可能な多数の移動端末と、を含む符号分割多重接続移動通信システムで、ＭＢＭＳサービスを要請した移動端末にＭＢＭＳサービスを提供するための基準ＳＧＳＮを決定する方法において、
前記複数の無線網制御器のうち一つが前記ＭＢＭＳサービス要請を受信する過程と、
前記ＭＢＭＳサービス要請を受信した前記無線網制御器に前記ＭＢＭＳサービスに対応する基準ＳＧＳＮ情報が貯蔵されていない場合、前記サービス要請を受信した無線網制御器は前記複数のＳＧＳＮのうち一つを基準ＳＧＳＮに選択する過程と、
前記選択された基準ＳＧＳＮは前記サービス要請を受信した無線網制御器を除外した残りの無線網制御器に前記基準ＳＧＳＮにより前記ＭＢＭＳサービスが管理されることを知らせる過程と、を含むことを特徴とする方法。
【請求項５】
前記基準ＳＧＳＮは、前記複数のＳＧＳＮの負荷分散を考慮して選択されることを特徴とする請求項４に記載の方法。
【請求項６】
前記基準ＳＧＳＮは、前記ＭＢＭＳサービスに対応した移動端末の目録に前記ＭＢＭＳサービスを要請した移動端末を登録する過程をさらに備えることを特徴とする請求項４に記載の方法。
【請求項７】
前記サービス要請を受信した無線網制御器に前記ＭＢＭＳサービスに対応する前記基準ＳＧＳＮ情報が貯蔵されていると、前記ＭＢＭＳサービスを要請した移動端末とのシグナリング接続が設定されているＳＧＳＮの要請により前記基準ＳＧＳＮが前記ＭＢＭＳサービスの目録に前記移動端末を追加する過程をさらに備えることを特徴とする請求項４に記載の方法。
【請求項８】
前記基準ＳＧＳＮは、前記ＭＢＭＳサービスが開始されることを前記無線網制御器を通じて前記移動端末に通報した後、前記ＭＢＭＳサービスに対するＭＢＭＳデータを前記移動端末に伝送する過程をさらに備えることを特徴とする請求項４に記載の方法。
【請求項９】
前記基準ＳＧＳＮは、前記ＭＢＭＳデータの伝送中に新たな移動端末から前記ＭＢＭＳサービスの要請が受信されると、前記新たな移動端末を前記ＭＢＭＳサービスに対応した移動端末の目録に追加した後、前記新たな移動端末との連結を設定する過程をさらに備えることを特徴とする請求項８に記載の方法。
【請求項１０】
前記ＭＢＭＳサービスが終了すると、前記基準ＳＧＳＮは前記無線網制御器との連結を解除し、前記無線網制御器が有する前記基準ＳＧＳＮ情報の削除を要請する過程をさらに備えることを特徴とする請求項４に記載の方法。
【請求項１１】
複数の無線網制御器を含む第１グループと、前記第１グループ内の各無線網制御器と接続されることができる複数のＳＧＳＮを含む第２グループと、前記複数の無線網制御器と無線接続可能な多数の移動端末と、を含む符号分割多重接続移動通信システムで、ＭＢＭＳサービスを要請した移動端末にＭＢＭＳサービスを提供するための基準ＳＧＳＮを決定する方法において、
前記複数のＳＧＳＮのうち一つが前記ＭＢＭＳサービス要請を受信する過程と、
前記ＭＢＭＳサービス要請を受信した前記ＳＧＳＮに前記ＭＢＭＳサービスに対応する基準ＳＧＳＮ情報が貯蔵されていない場合、前記サービス要請を受信したＳＧＳＮは自分を基準ＳＧＳＮに選択する過程と、
前記選択された基準ＳＧＳＮは残りのＳＧＳＮに前記基準ＳＧＳＮにより前記ＭＢＭＳサービスが管理されることを知らせる過程と、を含むことを特徴とする方法。
【請求項１２】
前記基準ＳＧＳＮは、前記ＭＢＭＳサービスに対応した移動端末の目録に前記ＭＢＭＳサービスを要請した移動端末を登録する過程をさらに備えることを特徴とする請求項１１に記載の方法。
【請求項１３】
前記残りのＳＧＳＮは、前記ＭＢＭＳサービスに対応する前記基準ＳＧＳＮ情報が貯蔵されていると、前記基準ＳＧＳＮに前記ＭＢＭＳサービスに対応した移動端末の目録に前記移動端末の追加を要請する過程をさらに備えることを特徴とする請求項１２に記載の方法。
【請求項１４】
前記基準ＳＧＳＮは、前記ＭＢＭＳサービスが開始されることを前記無線網制御器を通じて前記移動端末に通報した後、前記ＭＢＭＳサービスに対するＭＢＭＳデータを前記移動端末に伝送する過程をさらに備えることを特徴とする請求項１１に記載の方法。
【請求項１５】
前記基準ＳＧＳＮは、前記ＭＢＭＳデータの伝送中に新たな移動端末から前記ＭＢＭＳサービスの要請が受信されると、前記新たな移動端末を前記ＭＢＭＳサービスに対応した移動端末の目録に追加した後、前記新たな移動端末との連結を設定する過程をさらに備えることを特徴とする請求項１４に記載の方法。
【請求項１６】
前記ＭＢＭＳサービスが終了すると、前記基準ＳＧＳＮは前記残りのＳＧＳＮが有する前記基準ＳＧＳＮ情報の削除を要請する過程をさらに備えることを特徴とする請求項１５に記載の方法。
【請求項１７】
複数の無線網制御器と、前記それぞれの無線網制御器に連結される複数のＳＧＳＮと、前記複数の無線網制御器と無線接続が可能な多数の移動端末と、を含み、前記移動端末にＭＢＭＳサービスを提供する符号分割多重接続移動通信システムで、前記複数のＳＧＳＮのうち一つを通じてＭＢＭＳサービスを提供する方法において、
前記ＭＢＭＳサービスの要請を受信した無線網制御器が前記各ＳＧＳＮの負荷を考慮して前記ＳＧＳＮのうち任意の一つを前記基準ＳＧＳＮに指定する過程と、
前記ＭＢＭＳサービスを区分する識別者と前記基準ＳＧＳＮを区分する識別者を前記基準ＳＧＳＮに伝送する過程と、
前記基準ＳＧＳＮで前記ＭＢＭＳのサービス可能可否を判断し、前記ＭＢＭＳサービスを区分する識別者と前記基準ＳＧＳＮを区分する識別者を前記ＭＢＭＳサービスの要請を受信した無線網制御器を除外した残りの無線網制御器に伝送する過程と、を含むことを特徴とする方法。
【請求項１８】
前記ＭＢＭＳサービスに対応した基準ＳＧＳＮが既に指定されていると、前記無線網制御器は前記ＭＢＭＳサービスを要請した移動端末とのシグナリング接続が設定されているＳＧＳＮに前記ＭＢＭＳサービスを区分する識別者と前記基準ＳＧＳＮを区分する識別者を伝送し、前記接続が設定されているＳＧＳＮは前記ＭＢＭＳサービスを区分する識別者と前記ＭＢＭＳサービスを要請した移動端末を区分する識別者を前記基準ＳＧＳＮに伝送する過程をさらに備えることを特徴とする請求項１７に記載の方法。
【請求項１９】
前記基準ＳＧＳＮは、前記ＭＢＭＳサービスが開始されることを前記無線網制御器を通じて前記移動端末に通報した後、前記ＭＢＭＳサービスに対するＭＢＭＳデータを前記移動端末に伝送する過程をさらに備えることを特徴とする請求項１７に記載の方法。
【請求項２０】
前記基準ＳＧＳＮは、前記ＭＢＭＳデータの伝送中に新たな移動端末から前記ＭＢＭＳサービスの要請が受信されると、前記新たな移動端末との連結を設定する過程をさらに備えることを特徴とする請求項１９に記載の方法。
【請求項２１】
前記ＭＢＭＳのサービスが終了すると、前記基準ＳＧＳＮは前記無線網制御器との連結を解除し、前記無線網制御器が有する前記基準ＳＧＳＮ情報の削除を要請する過程をさらに備えることを特徴とする請求項１７に記載の方法。
【発明の詳細な説明】
【技術分野】
【０００１】
本発明は、移動通信システムでのマルチキャストマルチメディア放送サービスのためのチャネルを設定する装置及び方法に関するもので、特に、提供されているマルチキャストマルチメディア放送サービスの要請によるチャネル設定装置及び方法に関する。
【背景技術】
【０００２】
最近、通信産業の発展に応じて符号分割多重接続（Ｃｏｄｅ  Ｄｉｖｉｓｉｏｎ  Ｍｕｌｔｉｐｌｅ  Ａｃｃｅｓｓ、以下、ＣＤＭＡ）移動通信システムで提供するサービスは、音声サービスとパケットデータ、サーキットデータなどのような大容量のデータを伝送するマルチキャスティングマルチメディア通信に発展しつつある。前記マルチキャスティングマルチメディア通信を支援するためには、一つのデータソースで多数の移動端末（Ｕｓｅｒ  Ｅｑｕｉｐｍｅｎｔ、以下、ＵＥ）にサービスを提供する放送／マルチキャストサービス（Ｂｒｏａｄｃａｓｔ／Ｍｕｌｔｉｃａｓｔ  Ｓｅｒｖｉｃｅ）が要求される。前記放送／マルチキャストサービスは、メッセージ中心のサービスであるセル放送サービス（Ｃｅｌｌ  Ｂｒｏａｄｃａｓｔ  Ｓｅｒｖｉｃｅ、以下、ＣＢＳ）と、実時間映像及び音声、停止映像、文字などのようなマルチメディア形態を支援するマルチキャストマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）に区分することができる。
【０００３】
前記ＣＢＳは、特定サービス地域に位置する全てのＵＥに多数個のメッセージを放送するサービスである。前記ＣＢＳを提供する前記特定サービス地域は、一つのセル内で前記ＣＢＳが提供される全体領域とすることができる。前記ＭＢＭＳは、音声データと映像データを同時に提供するサービスとして、大量の伝送資源を要求する。従って、一つのセルで同時に多量のサービスが提供されることができるので、前記ＭＢＭＳは放送チャネルを通じてサービスされる。
【０００４】
上述したように従来の移動通信システムでは同一のセル、または無線網制御器により制御される複数のＵＥから同一のＭＢＭＳ要求が受信される場合、前記複数のＵＥそれぞれの要請に対してシステム内でのチャネル、即ちＭＢＭＳデータ伝送経路を割り当てるべきである。
【０００５】
これによって、従来の移動通信システムでは複数のＵＥに対して同一のＭＢＭＳサービスを提供するためのシグナリング手続きが要求されている。しかし、同一のＭＢＭＳを相異なるＵＥに提供するために複数のチャネル（ＭＢＭＳデータ伝送経路）を割り当てると、無駄に資源を浪費することになり、その処理シグナリング手続きが複雑になる問題が発生する場合があった。
【考案の開示】
【発明が解決しようとする課題】
【０００６】
従って、上述したような問題点を解決するための本発明の目的は、移動通信システムで同一のマルチキャストマルチメディア放送サービスを要求する複数の移動端末に対して効率的に資源を割り当てる装置及び方法を提供することにある。
【０００７】
本発明の他の目的は、同一のマルチキャストマルチメディア放送サービスを要求する移動端末に対して最小のデータ伝送経路を割り当てる装置及び方法を提供することにある。
【０００８】
本発明のさらに他の目的は、特定マルチキャストマルチメディア放送サービスを受信する移動端末を別に管理することにより、チャネル割り当てのためのシグナリング手続きを簡略化する装置及び方法を提供することにある。
【０００９】
本発明のさらに他の目的は、一つの無線網基地局により特定マルチキャストマルチメディア放送サービスの提供による情報を管理する装置及び方法を提供することにある。
【００１０】
本発明のさらに他の目的は、一つのＳＧＳＮにより特定マルチキャストマルチメディア放送サービスの提供による情報を管理する装置及び方法を提供することにある。
【課題を解決するための手段】
【００１１】
前記目的を達成するための第１見地において、本発明は複数の無線網制御器と、前記無線網制御器とそれぞれ連結される複数のＳＧＳＮと、前記複数の無線網制御器と無線接続が可能な多数の移動端末と、からなり、前記移動端末にＭＢＭＳサービスを提供する符号分割多重接続移動通信システムで、ＭＢＭＳサービスを要請した移動端末にＭＢＭＳサービスを提供する装置において、所望するＭＢＭＳサービスを要請し、前記要請に応答して提供される前記ＭＢＭＳデータを受信する複数の移動端末と、前記サービスを要請した移動端末のうち、無線接続された移動端末に前記ＭＢＭＳサービスによる関連データを伝送する複数の無線網制御器と、前記無線網制御器とそれぞれ連結され、前記サービスを要請した移動端末の前記ＭＢＭＳサービスに関連された手続きを制御する複数のＳＧＳＮと、を含み、前記ＭＢＭＳサービス別に基準ＳＧＳＮを指定し、前記基準ＳＧＳＮはＭＢＭＳサービスに対するＭＢＭＳデータを、前記無線網制御器を通じて前記ＭＢＭＳサービスを要請した移動端末に伝送することを特徴とする。
【００１２】
前記目的を達成するための第２見地において、本発明は、複数の無線網制御器を含む第１グループと、前記第１グループ内の各無線網制御器と接続されることができる複数のＳＧＳＮを含む第２グループと、前記複数の無線網制御器と無線接続可能な多数の移動端末と、を含む符号分割多重接続移動通信システムで、ＭＢＭＳサービスを要請した移動端末にＭＢＭＳサービスを提供するための基準ＳＧＳＮを決定する方法において、前記複数の無線網制御器のうち一つが前記ＭＢＭＳサービス要請を受信する過程と、前記ＭＢＭＳサービス要請を受信した前記無線網制御器に前記ＭＢＭＳサービスに対応する基準ＳＧＳＮ情報が貯蔵されていない場合、前記サービス要請を受信した無線網制御器は前記複数のＳＧＳＮのうち一つを基準ＳＧＳＮに選択する過程と、前記選択された基準ＳＧＳＮは前記サービス要請を受信した無線網制御器を除外した残りの無線網制御器に前記基準ＳＧＳＮにより前記ＭＢＭＳサービスが管理されることを知らせる過程と、を含むことを特徴とする。
【００１３】
前記目的を達成するための第３見地において、本発明は、複数の無線網制御器を含む第１グループと、前記第１グループ内の各無線網制御器と接続されることができる複数のＳＧＳＮを含む第２グループと、前記複数の無線網制御器と無線接続可能な多数の移動端末と、を含む符号分割多重接続移動通信システムで、ＭＢＭＳサービスを要請した移動端末にＭＢＭＳサービスを提供するための基準ＳＧＳＮを決定する方法において、前記複数のＳＧＳＮのうち一つが前記ＭＢＭＳサービス要請を受信する過程と、前記ＭＢＭＳサービス要請を受信した前記ＳＧＳＮに前記ＭＢＭＳサービスに対応する基準ＳＧＳＮ情報が貯蔵されていない場合、前記サービス要請を受信したＳＧＳＮは自分を基準ＳＧＳＮに選択する過程と、前記選択された基準ＳＧＳＮは残りのＳＧＳＮに前記基準ＳＧＳＮにより前記ＭＢＭＳサービスが管理されることを知らせる過程と、を含むことを特徴とする。
【００１４】
前記目的を達成するための第４見地において、本発明は、複数の無線網制御器と、前記それぞれの無線網制御器に連結される複数のＳＧＳＮと、前記複数の無線網制御器と無線接続が可能な多数の移動端末と、を含み、前記移動端末にＭＢＭＳサービスを提供する符号分割多重接続移動通信システムで、前記複数のＳＧＳＮのうち一つを通じてＭＢＭＳサービスを提供する方法において、前記ＭＢＭＳサービスの要請を受信した無線網制御器が前記各ＳＧＳＮの負荷を考慮して前記ＳＧＳＮのうち任意の一つを前記基準ＳＧＳＮに指定する過程と、前記ＭＢＭＳサービスを区分する識別者と前記基準ＳＧＳＮを区分する識別者を前記基準ＳＧＳＮに伝送する過程と、前記基準ＳＧＳＮで前記ＭＢＭＳのサービス可能可否を判断し、前記ＭＢＭＳサービスを区分する識別者と前記基準ＳＧＳＮを区分する識別者を前記ＭＢＭＳサービスの要請を受信した無線網制御器を除外した残りの無線網制御器に伝送する過程と、を含むことを特徴とする。
【発明の効果】
【００１５】
本発明はＩｕ−Ｆｌｅｘ概念が導入された状況でＭＢＭＳデータ伝送経路を設定する場合であっても、同一のＭＢＭＳデータ伝送のためにＲＮＣとＳＧＳＮ間に一つの経路、そしてＰＳプールエリア当たり一つのＳＧＳＮとＧＧＳＮ間の一つの経路のみ生成されるようにしてＭＢＭＳ支援のための有／無線資源が効率的に使用されるようにする効果がある。
【００１６】
以上、本発明の詳細な説明では具体的な実施例について説明したが、本発明の範囲を逸脱しない限り、各種の変形が可能なのは明らかである。したがって、本発明の範囲は前記実施例に限るものでなく、特許請求の範囲のみならず、その特許請求の範囲と均等なものにより定められるべきである。
【発明を実施するための最良の形態】
【００１７】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００１８】
先ず、本発明の実施形態で使用する用語に対して定義すると、次のようである。“ＭＢＭＳデータ”とはＭＢＭＳによりサービスからＵＥに提供されるデータを意味し、“基準ＳＧＳＮ”とは一つのグループに指定されたＳＧＳＮのうち、特定ＭＢＭＳに関する情報を管理するＳＧＳＮを意味する。
【００１９】
図１は、本発明の実施形態を適用するための移動通信システムの基本的な構造を示している図である。即ち、前記図１では符号分割多重接続移動通信システムでＭＢＭＳを提供するための基本的な個体とこれら間の相互関係を示している。
【００２０】
前記図１を参照すると、ＵＥ１０１は、ＭＢＭＳにより提供されるＭＢＭＳデータを受信することができる加入者装置である。基地局装置（ＵＴＲＡＮ）１０２は、前記ＵＥに前記ＭＢＭＳによる関連データを伝送する装置として、無線網制御器（Ｒａｄｉｏ  Ｎｅｔｗｏｒｋ  Ｃｏｎｔｒｏｌｌｅｒ、以下、ＲＮＣ）と基地局（Ｎｏｄｅ  Ｂ）（図示せず）とから構成される。ＳＧＳＮ（Ｓｅｒｖｉｎｇ  ＧＰＲＳ  Ｓｕｐｐｏｒｔｉｎｇ  Ｎｏｄｅ）１０３は、それぞれのＵＥのＭＢＭＳ関連手続きを制御する役割を遂行する。代表的な例として、各ＵＥのサービス課金関連データを管理する役割と、ＭＢＭＳデータを特定ＵＴＲＡＮに選別的に伝送する役割などがある。
【００２１】
ＧＧＳＮ１０４は、ＭＢ−ＳＣ１０５から受信したＣＰ（ｃｏｎｔｅｎｔ  ｐｒｏｖｉｄｅｒ）１０６のＭＢＭＳデータを特定ＳＧＳＮに選別的に伝送する役割と、前記ＭＢＭＳデータを受信する全てのＵＥの課金関連データを管理する役割をする。前記ＭＢ−ＳＣ１０５は、前記ＭＢＭＳデータのソース（ｓｏｕｒｃｅ）を示し、各ＭＢＭＳデータのスケジューリングを管理する。
【００２２】
また、前記ＭＢ−ＳＣ１０５は、前記ＵＥへのＭＢＭＳのためにＭＢＭＳデータの提供者を認証する役割も遂行する。セル放送センター（Ｃｅｌｌ  Ｂｒｏａｄｃａｓｔ  Ｃｅｎｔｅｒ、以下、ＣＢＣ）１０７は、前記ＵＥに現在サービスされているＭＢＭＳ関連メニュー、または追後サービス予定のＭＢＭＳデータに関連された情報を知らせる。前記追後サービス予定のＭＢＭＳは、移動通信システムで提供するサービスであるが、資源の割り当てが不可能な理由により、現在サービスが不可能であり、追後資源割り当てが可能な時点で提供するＭＢＭＳを意味する。
【００２３】
ホーム位置レジスタ（Ｈｏｍｅ  Ｌｏｃａｔｉｏｎ  Ｒｅｇｉｓｔｅｒ、以下、ＨＬＲ）１０８は、登録されたＵＥの秘密データを貯蔵し、通信サービスを要請したＵＥ、またはＭＢＭＳデータを要請したＵＥを認証する役割を遂行する。
【００２４】
図２は、移動通信システムからのＭＢＭＳを受信するためにそれぞれのＵＥがチャネルを割り当てる制御の流れを示している図である。即ち、前記図１での個体の役割と相互関係に基づいてＵＥが特定セルで電源をターンオンした後、ＭＢＭＳデータを受信するためのチャネルを設定する手続きは前記図２のようである。
【００２５】
前記図２のように、ＵＥが選択したＭＢＭＳの性格に応じてＭＢＭＳデータ伝送のためのチャネルを設定する手続きは二つに大別される。ここで、“ＭＢＭＳの性格”とは現在提供中であるＭＢＭＳサービス、または追後に提供されるＭＢＭＳサービスを意味する。
【００２６】
先ず、ＵＥにより選択されたＭＢＭＳサービスが提供されている時、前記選択したＭＢＭＳによるＭＢＭＳデータを受信するためのパラメータをＵＥが受信する手続きに対して説明する。現在移動通信システムにより提供されているＭＢＭＳデータを前記ＵＥ１０１が受信するためのシグナリングは図３のようである。ここで、前記ＭＢＭＳデータを受信するためのパラメータは、物理チャネル（Ｐｈｙｓｉｃａｌ  Ｃｈａｎｎｅｌ）関連情報、伝送チャネル（ＴＲＡＮｓｐｏｒｔ  Ｃｈａｎｎｅｌ）関連情報などがあり得る。もし、該当ＭＢＭＳが暗号化され伝送される場合、ＭＢＭＳデータを復号化するのに必要な情報も伝送されることができる。
【００２７】
前記図２及び前記図３を参照すると、２０１段階でＵＥ１０１の電源がターンオンすると、前記ＵＥ１０１は、２０２段階に進行して特定セルに対する登録（初期登録）手続きを遂行する。前記特定セルに登録するために前記ＵＥ１０１は既存の登録手続きをそのままに使用することができる。即ち、前記ＵＥ１０１は、ＵＴＲＡＮ１０２とＲＲＣ連結（ｃｏｎｎｅｃｔｉｏｎ）を設定した後、ＮＡＳ（Ｎｏｎ  Ａｃｃｅｓｓ  Ｓｔｒａｔｕｍ）メッセージを使用して自分のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）値をＳＧＳＮ１０３に伝送する。これに対応して前記ＳＧＳＮ１０３は、ＨＬＲ１０８に前記初期手続きを遂行するＵＥが既登録されたＵＥであるかの認証を依頼する。
【００２８】
２０３段階で、前記ＵＥ１０１は現在セルでサービス中である、または追後サービス予定であるＭＢＭＳの種類に関する情報を獲得する。この時、前記ＭＢＭＳに関する情報を放送するためにＣＢＣ１０７が使用されることができる。前記ＣＢＣ１０７によりＭＢＭＳに関する情報を放送するための信号流れの例は、図３の３０２段階と３０３段階に示すことができる。
【００２９】
前記ＵＥ１０１は、２０４段階で前記受信したＭＢＭＳに関する情報から自分が所望するＭＢＭＳを選択する。また、前記選択したＭＢＭＳが現在サービス中であるか、追後サービス予定であるかを識別する。もし、前記選択したＭＢＭＳが現在サービス中である場合、前記ＵＥ１０１は、２１１段階乃至２１３段階を経て所望するＭＢＭＳデータを受信することができる。前記２１１段階で前記ＵＥ１０１は、自分が所望するＭＢＭＳの種類と認証に必要な情報をＵＴＲＡＮ１０２に提供する。前記ＵＴＲＡＮ１０２は、前記ＵＥ１０１から受信された情報に基づいて、前記ＵＥ１０１が選択したＭＢＭＳを提供できるかを判別する。この段階に参与する個体と前記個体間の信号伝送の例は、図３の３０４段階と３０５段階になる。
【００３０】
先ず、３０４段階で前記ＵＥ１０１は、自分が選択したＭＢＭＳの識別者と自分の識別者（例えば、ＩＭＳＩ）などを前記ＳＧＳＮ１０３に伝送する。すると、前記ＳＧＳＮ１０３は、３０５段階でＨＬＲ１０８に前記ＵＥ１０１の認証及び選択されたＭＢＭＳの受信が可能であるかを問う。前記ＵＥ１０１は、２１２段階で上述した事項による認証手続きが成功的に遂行されたかを判断する。前記ＵＥ１０１が選択したＭＢＭＳに対する受信権限を有すると、２１３段階に進行する。これに対応して前記ＵＴＲＡＮ１０２は、前記ＵＥ１０１に前記選択されたＭＢＭＳデータを送信するための情報を伝送する。この場合、前記ＵＴＲＡＮ１０２と前記ＵＥ１０１間の予想される信号流れの例は、図３の３０６段階、３０７段階、３０８段階、３０９段階、３１０段階になる。
【００３１】
図３の３０６段階で前記ＳＧＳＮ１０３が、前記ＵＥ１０１の認証が成功的に完了されたことをＵＴＲＡＮ１０２に知らせると、３０７段階で前記ＵＴＲＡＮ１０２は、前記選択したＭＢＭＳデータの受信に必要な情報を前記ＵＥ１０１に知らせる。前記ＵＥ１０１は、前記選択したＭＢＭＳデータの受信に必要な情報に基づいてチャネルを成功的に設定し、これを前記ＵＴＲＡＮ１０２に通報する。前記ＵＴＲＡＮ１０２は、３０９段階でこれをさらに前記ＳＧＳＮ１０３に伝送する。前記ＳＧＳＮ１０３は、３１０段階でＧＧＳＮ１０４に特定ＵＥが該当ＭＢＭＳデータを受信し始めたことを知らせる。
【００３２】
前記３１０段階は、ＭＢＭＳデータ受信に相応する課金のための基本データ伝送のためのもので、課金体系によっては省略することもできる。例えば、前記ＵＥ別課金関連データが前記ＳＧＳＮ１０３により管理されていると、前記３１０段階は省略されることができる。また、状況によってはサービスの終了後に前記３１０段階が遂行されることもできる。しかし、前記ＵＥ１０１が前記選択されたＭＢＭＳデータの受信が不可能であると判断してＭＢＭＳ要請が失敗すると、前記ＵＴＲＡＮ１０２は前記選択したＭＢＭＳの提供を拒否することができる。
【００３３】
次に、ＵＥが選択したＭＢＭＳサービスが追後に提供される場合、ＭＢＭＳのためのチャネルを設定する手続きに関して説明する。この場合、予想されるＭＢＭＳ関連個体と前記個体間の信号の流れは図４のようである。
【００３４】
前記図２及び前記図４を参照すると、ＵＥ１０１は、２０４段階で自分が選択したＭＢＭＳが追後提供されると判断すると、２０５段階に進行する。前記２０５段階で、前記ＵＥ１０１は、該当サービスの受信を予め登録することができる。この時、予想される信号の流れは、前記図４の４０４段階、４０５段階、４０６段階である。前記４０４段階で前記ＵＥ１０１は、自分が選択したＭＢＭＳ識別者とＵＥ識別者などをＳＧＳＮ１０３に伝送する。この時、前記ＵＥ識別者にはＩＭＳＩ、Ｐ−ＴＭＳＩ（Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ）、或いはＲＮＴＩなどが含まれることができる。
【００３５】
前記Ｐ−ＴＭＳＩは、パケット網、即ちＳＧＳＮにより割り当てられるＵＥ識別者であり、ＴＭＳＩは、サーキット網、即ちＭＳＣにより割り当てられるＵＥ識別者である。これに対応してＳＧＳＮ１０３は、前記４０５段階でＨＬＲ１０８から該当ＵＥ１０１が選択したＭＢＭＳデータを受信することができるかを検査する。前記ＵＥ１０１が選択されたＭＢＭＳデータを受信できる場合、４０６段階で前記ＳＧＳＮ１０３は該当ＵＥ１０１にサービス登録が成功的に遂行されたことを知らせる。この時、前記ＳＧＳＮ１０３は、前記選択されたＭＢＭＳに共通に割り当てられるＵＥ識別者であるＴＭＧＩ（Ｔｅｍｐｏｒａｒｙ  Ｍｕｌｔｉｃａｓｔ  Ｇｒｏｕｐ  Ｉｄｅｎｔｉｔｙ）を割り当てることもできる。
【００３６】
これに対応して前記ＳＧＳＮ１０３は、４０７段階で自分が管理するＵＴＲＡＮ１０２で選択されたＭＢＭＳに関する要求があったことをＧＧＳＮ１０４に通報する。前記ＧＧＳＮ１０４は、前記ＳＧＳＮ１０３から提供された情報をさらにＭＢ−ＳＣ１０５に伝送する。上述した段階で前記ＭＢ−ＳＣ１０５と前記ＳＧＳＮ１０２間に該当ＭＢＭＳのための経路を設定することもできる。
【００３７】
前記ＵＥ１０１は、２０６段階で前記選択したＭＢＭＳデータがやがて提供されるとの事実を関連個体から予め通報することができる。この時、実際ＭＢＭＳデータが提供されてからどの程度の時間以前に各個体からこれを提供されるようにするかは具現によって変わることができる。前記２０６段階で使用されることができる信号流れの例は、前記図４の４０８段階である。
【００３８】
前記４０８段階で前記ＭＢ−ＳＣ１０５は、スケジューリングを通じて選択されたＭＢＭＳデータの提供を決定し、これを該当ＳＧＳＮ１０３に知らせる。これに対応して前記ＳＧＳＮ１０３は、前記ＵＴＲＡＮ１０２を通じて関連ＵＥにこれを知らせる。前記ＳＧＳＮ１０３が関連ＵＥに該当ＭＢＭＳの開始を知らせる方法は、既存の非同期方式を使用する符号分割多重接続移動通信システムで予め定義された呼び出し（ｐａｇｉｎｇ）手続きなどに使用されることができる。
【００３９】
前記２０６段階を通じて予め選択したＭＢＭＳの開始を認知したＵＥ１０１は、２０７段階に進行して該当ＭＢＭＳデータの受信を再確認する。これは予めＭＢＭＳを要請されたＵＥであっても状況によってＭＢＭＳデータの受信が不可能な場合もあるからである。前記ＵＴＲＡＮ１０２は、該当ＭＢＭＳデータの受信を要求したＵＥ１０１を再識別することもできる。前記図４の４０９段階と４１０段階がこれに該当する。前記４０９段階で前記ＵＥ１０１は、自分の識別者、ＴＭＧＩまたはＭＢＭＳ識別者などを伝送することができる。
【００４０】
前記ＵＥ１０１は、２０８段階で前記ＵＥ識別が成功的に遂行されたかを判断する。前記ＵＥ識別が成功的に遂行されたと判断されると、前記ＵＥ１０１は、２０９段階に進行して前記ＵＴＲＡＮ１０２とＵＥ１０１との間、及び前記ＵＴＲＡＮ１０２とＳＧＳＮ１０３との間にＭＢＭＳサービスを提供するためのチャネルを設定する手続きを遂行する。前記図４の４１１段階、４１２段階、４１３段階、及び４１４段階は、既存の非同期式方式を使用する符号分割多重接続移動通信システムで予め定義された手続きを使用して関連チャネルを生成する例を示す。
【００４１】
一方、前記ＳＧＳＮ１０３は、４１５段階で該当ＵＥ１０１がＭＢＭＳデータを受信することを前記ＧＧＳＮ１０４に通報する。前記４１５段階は、前記図３の３１０段階のように、ＭＢＭＳの受信に相応する課金のための基本データを伝送するためのもので、課金体系によっては省略することもできる。また、状況によってはサービスが終了された後に遂行されることもできる。
【００４２】
上述した説明では移動通信システムにＵＴＲＡＮ及びＳＧＳＮが一つずつ存在することと仮定して説明した。しかし、移動通信システムは、複数のＵＴＲＡＮと複数のＳＧＳＮとから構成されることは自明であるだろう。以下の説明では複数のＵＴＲＡＮと複数のＳＧＳＮを含む移動通信システムでＭＢＭＳのための伝送経路を設定する方法に対して説明する。一方、下記の説明ではＩｕ−Ｆｌｅｘを導入して複数のＲＡＮを所定グループに区分し、前記所定グループをプール（ＣＳプールエリアまたはＰＳプールエリア）との用語を使用して定義する。
【００４３】
図５は、前記Ｉｕ−Ｆｌｅｘが導入される場合、ＲＮＣと固定網間の連結関係を示す。前記図５で示しているＲＮＣとＭＳＣ間の経路は、回線基盤サービスのためのものであり、前記ＲＮＣとＳＧＳＮ間の経路はパケット基盤サービスのためのものである。本発明はＭＢＭＳを利用したＭＢＭＳデータの伝送と関連があるので、前記ＲＮＣと前記ＳＧＳＮ間のシグナリング伝送に焦点を合わせて説明する。
【００４４】
前記図５を参照すると、Ｉｕ−Ｆｌｅｘ概念が導入される場合、多数のＲＮＣが多数のＳＧＳＮ（またはＭＳＣ）を通じて固定網に連結されることができる。前記多数のＳＧＳＮが共通に管理する多数のＲＮＣを“ＰＳプールエリア（ＰＳ  ｐｏｏｌ−ａｒｅａ）”と称し、多数のＭＳＣが共通に管理する多数のＲＮＣの集合を“ＣＳプールエリア（ＣＳ  ｐｏｏｌ−ａｒｅａ）”と称する。ここで、ＭＳＣとＳＧＳＮと同一の階層的位置にある装置を“ＣＮ（Ｃｏｒｅ  Ｎｅｔｗｏｒｋ）ノード”と通称する。それぞれのＳＧＳＮ（またはＭＳＣ）は自分に割り当てられた固有した識別者であるＮＲＩ（Ｎｅｔｗｏｒｋ  Ｒｅｓｏｕｒｃｅ  Ｉｄｅｎｔｉｆｉｅｒ）を有している。
【００４５】
このようなＮＲＩは、ＵＥに割り当てられた臨時識別者であるＰ−ＴＭＳＩ（またはＴＭＳＩ）の一部になる。即ち、前記ＲＮＣがＵＥに任意のパケット基盤（またはサーキット基盤）サービスを提供するために固定網と連結を設定すべき場合、前記ＵＥに割り当てられたＰ−ＴＭＳＩ（またはＴＭＳＩ）に含まれたＮＲＩを基準に前記ＲＮＣと特定ＳＧＳＮ間（またはＭＳＣ）の連結が設定される。もし、初期登録過程でのように、前記ＵＥがＰ−ＴＭＳＩ（またはＴＭＳＩ）を割り当てられない場合、前記ＲＮＣは、前記ＳＧＳＮ（またはＭＳＣ）の負荷を考慮して任意のＳＧＳＮ（またはＭＳＣ）との連結を設定する。該当ＳＧＳＮ（またはＭＳＣ）は、前記ＵＥに自分のＮＲＩが含まれた形態のＰ−ＴＭＳＩ（またはＴＭＳＩ）を割り当てる。
【００４６】
このようなＩｕ−Ｆｌｅｘ概念が導入された状況で上述した図３と図４でのＭＢＭＳデータ伝送のためのチャネル設定シナリオをそのままに適用する場合、ＭＢＭＳデータが伝送される経路が同一のＰＳプールエリアに重複的に生成される問題が発生する。即ち、前記図５でＰＳプールエリア２に属した任意のＵＥが同一のＭＢＭＳを選択してこれを該当ＳＧＳＮに知らせる場合、前記ＵＥが属したＲＮＣと該当ＳＧＳＮの種類によって図６でのように１２種類の伝送経路が可能である。
【００４７】
前記図６のように、各ＲＡＮは、複数のＳＧＳＮそれぞれに対応して相異なる複数の経路を有するようになる。例えば、ＲＡＮノードエリア（ＲＡＮ  ｎｏｄｅ  Ａｒｅａ  ２）は相異なる三つの経路６０１、６０２、６０３によりＳＧＳＮ３、ＳＧＳＮ４、ＳＧＳＮ５それぞれと連結され、ＲＡＮノードエリア３は相異なる三つの経路６０４、６０５、６０６により前記ＳＧＳＮ３、前記ＳＧＳＮ４、前記ＳＧＳＮ５それぞれと連結される。また、ＲＡＮノードエリア６は、相異なる三つの経路６０７、６０８、６０９により前記ＳＧＳＮ３、前記ＳＧＳＮ４、前記ＳＧＳＮ５それぞれと連結され、ＲＡＮノードエリア７は相異なる三つの経路６１０、６１１、６１２により前記ＳＧＳＮ３、前記ＳＧＳＮ４、前記ＳＧＳＮ５それぞれと連結される。前記ＳＧＳＮ３、前記ＳＧＳＮ４、前記ＳＧＳＮ５それぞれとＧＧＳＮ間は相異なる三つの伝送経路６１３、６１４、６１５により連結される。
【００４８】
しかし、前記ＳＧＳＮ３、前記ＳＧＳＮ４そして前記ＳＧＳＮ５が同一のＰＳプールエリア（ＲＡＮノードエリア２、ＲＡＮノードエリア３、ＲＡＮノードエリア６、ＲＡＮノードエリア７）を管理することを考慮する場合、実際にＧＧＳＮがこの中の一つのみのＳＧＳＮとＭＢＭＳデータ伝送経路を形成し、前記ＳＧＳＮが該当ＲＮＣ（ＲＡＮノードエリア）に前記ＭＢＭＳデータを伝送すると十分であることが分かる。この場合、実際に必要なＭＢＭＳデータ経路の数は、ＲＡＮノードエリアとＳＧＳＮ間に４個、そしてＳＧＳＮとＧＧＳＮ間に１個のみが存在するとよい。
【００４９】
本発明はＩｕ−Ｆｌｅｘ概念がＭＢＭＳに導入された場合にもＭＢＭＳの提供のためのチャネルを効果的に生成する方法を提案する。
【００５０】
このための実施形態は次のように２種類に区分される。
（１）ＲＮＣが基準ＳＧＳＮ情報を管理する方法
（２）ＳＧＳＮが基準ＳＧＳＮ情報を管理する方法
前記基準（ｄｅｆａｕｌｔ）ＳＧＳＮ情報（以下、Ｄｅｆ＿ＳＧＳＮ＿ＭＢＭＳ＿ｓｅｌ変数を使用）は、基準ＳＧＳＮに設定されたＳＧＳＮの識別者に該当する値を有する。
【００５１】
１．ＲＮＣが基準ＳＧＳＮ情報を管理する方法
先ず、ＲＮＣが基準ＳＧＳＮ情報を基にＭＢＭＳの提供のための伝送経路を効果的に生成する方法に対して説明する。
前記ＲＮＣが該当ＭＢＭＳに関連された基準ＳＧＳＮ情報を管理するために、Ｉｕ−Ｆｌｅｘが導入されない場合に比べて追加的に定義されるべき事項は次のようである。
【００５２】
（１）ＲＮＣは、ＭＢＭＳ識別者別に該当基準ＳＧＳＮ情報を貯蔵及び管理すべきであり、関連情報を他のＳＧＳＮに知らせる。
（２）基準ＳＧＳＮ情報は、ＵＥが該当ＭＢＭＳを選択してこれをＲＮＣに知らせるか、他のＳＧＳＮが基準ＳＧＳＮに関する情報をＲＮＣに知らせる場合、設定される。
（３）ＲＮＣは、任意のＵＥが選択したＭＢＭＳと関連した基準ＳＧＳＮが設定されていない場合、ＵＥのＰ−ＴＭＳＩから計算されたＳＧＳＮの識別者に該当する値を基準ＳＧＳＮに管理する。
（４）ＲＮＣは他のＳＧＳＮから受信したＭＢＭＳの基準ＳＧＳＮ値を貯蔵する。
（５）任意のＭＢＭＳに対して基準ＳＧＳＮに設定されたＳＧＳＮは自分が該当ＭＢＭＳに関する情報（ＴＭＧＩ、ＵＥ情報、…）を有していない場合、ＰＳプールエリア属する全てのＲＮＣにＭＢＭＳ識別者と自分の識別者を知らせる。
（６）任意のＭＢＭＳが終了される場合、該当基準ＳＧＳＮはＰＳプールエリアに属した全てのＲＮＣに該当サービスの終了を知らせるべきであり、これを受信したＲＮＣは関連情報を削除する。
【００５３】
前記追加された規則を基に前記図３と前記図４のように定義されたシグナリングの流れが再定義される例を説明する。
説明の便宜のために、任意のＰＳプールエリアに属したＵＥのうち、最初に特定ＭＢＭＳに対する登録を遂行する過程と、このような過程が成功的に遂行された後、同一のＰＳプールエリアに属する他のＵＥが同一のＭＢＭＳを選択する場合に区分して説明する。
【００５４】
１．１  特定ＭＢＭＳに対する最初登録手続き
図７は、任意のＰＳプールエリアに属するＵＥのうち、最初のＵＥが特定ＭＢＭＳを選択する過程を示したものである。これは前記図４の４０４段階乃至４０６段階に該当する手続きである。前記図７ではＵＥ１がＲＮＣ１の管理する領域（ＲＡＮノードエリア１）に位置し、初期登録過程を経てＳＧＳＮ１が割り当てたＰ−ＴＭＳＩを有していると仮定する。また、ＲＮＣ１、ＲＮＣ２そしてＲＮＣｎは同一のＰＳプールエリア７０１に属し、ＳＧＳＮ１、ＳＧＳＮ２そしてＳＧＳＮｎ７０２が前記ＰＳプールエリア７０１を共同に管理すると仮定する。
【００５５】
前記図７を参照すると、ＵＥ１は、現在自分が位置するセルからサービス可能なＭＢＭＳに関する情報をサービス獲得（Ｓｅｒｖｉｃｅ  Ａｃｑｕｉｓｉｔｉｏｎ）段階を通じて獲得した後、サービス可能な任意のＭＢＭＳを選択する。前記任意のＭＢＭＳが選択されると、前記ＵＥ１は７０３段階で前記任意のＭＢＭＳが選択されたことを自分が属したＲＮＣ１に知らせる。この時、ＵＥ１は、自分の識別者（例：Ｐ−ＴＭＳＩ）と選択したＭＢＭＳの識別者を前記ＲＮＣ１に伝送する。これは上述した図４の４０４段階中、ＵＥとＵＴＲＡＮ間に遂行される手続きに該当する。
【００５６】
これに対応して前記ＲＮＣ１は、７０４段階で前記ＵＥ１から受信した情報を基に選択されたＭＢＭＳ関連基準ＳＧＳＮ情報を検査及び変更する。前記図７で示しているシグナリング手続きは、任意のＰＳプールエリアでＵＥ１から初めに選択されるＭＢＭＳを仮定している。従って、該当ＭＢＭＳと関連したＤｅｆ＿ＳＧＳＮ＿ＭＢＭＳ＿ｓｅｌ変数は生成されない状態であることが分かる。前記ＵＥ１により選択されたＭＢＭＳと関連した変数が存在しないことを認知した前記ＲＮＣ１は、前記ＵＥ１の識別者（Ｐ−ＴＭＳＩ）から求められるＮＲＩに該当するＳＧＳＮ（基準ＳＧＳＮ）の識別者を、変数Ｄｅｆ＿ＳＧＳＮ＿ＭＢＭＳ＿ｓｅｌの値に設定する。即ち、Ｄｅｆ＿ＳＧＳＮ＿ＭＢＭＳ＿ｓｅｌの値は、該当ＳＧＳＮを識別するためのもので、既存に提供されているＩＤ＿ＮＮＳ（Ｉｎｔｒａ  Ｄｏｍａｉｎ−ＮＡＳ  Ｎｏｄｅ  Ｓｅｌｅｃｔｏｒ）のような値に設定されるか、基準ＳＧＳＮ識別のために他の定数値が任意の数式により設定されることもできる。本発明の実施形態では、Ｄｅｆ＿ＳＧＳＮ＿ＭＢＭＳ＿ｓｅｌの値はＳＧＳＮ１の識別者に該当する値に設定される。前記Ｄｅｆ＿ＳＧＳＮ＿ＭＢＭＳ＿ｓｅｌの値が成功的に設定されると、前記ＲＮＣ１は、前記ＵＥ１により選択されたＭＢＭＳに対して下記表１のような情報を管理することができる。
【００５７】
【表１】
2004166197.tif 000003
【００５８】
前記ＲＮＣ１は、前記表１のような情報をＭＢＭＳ別に管理すべきである。
上述した手続きにより所望する情報の設定が完了されると、前記ＲＮＣ１は、７０５段階で前記ＵＥ１が選択したＭＢＭＳ識別者と前記変数の値７０６をＳＧＳＮ１に伝送する。勿論、認証などを考慮して前記ＵＥ１の識別者も共に伝送されるべきである。これは上述した図４の４０４段階で、ＵＴＲＡＮがＳＧＳＮにサービス登録と関連した信号を伝送する手続きに該当する。
【００５９】
前記ＳＧＳＮ１は、７０７段階でＨＬＲにより管理されている情報に基づいて前記ＵＥ１を認証する過程を遂行する。これは前記図４の４０５段階と同一である。前記ＳＧＳＮ１は、前記認証過程により前記ＵＥ１に対する認証が成功的に完了されると、前記ＵＥ１により選択されたＭＢＭＳに対する基準ＳＧＳＮが自分であることを認知するようになる。前記ＳＧＳＮ１は、自分が前記選択されたＭＢＭＳに対応する基準ＳＧＳＮであることを認知すると、自分が前記選択されたＭＢＭＳ関連情報を有していないことを確認する。そして、前記選択されたＭＢＭＳに関連したＴＭＧＩを割り当てた後、該当サービスを要求したＵＥの目録に前記ＵＥ１の識別者を追加する。前記ＳＧＳＮ１は、７０８段階で前記ＲＮＣ１と同一のＰＳプールエリアに属する全てのＲＮＣ（ＲＮＣ２乃至ＲＮＣｎ）に、該当ＭＢＭＳに対して自分が基準ＳＧＳＮに設定されたことを知らせる。この時、伝送される情報には前記ＵＥ１が選択したＭＢＭＳ識別者などがある。前記ＳＧＳＮ１が前記ＲＮＣ１から受信したＤｅｆ＿ＳＧＳＮ＿ＭＢＭＳ＿ｓｅｌ情報も共に伝送されることもできる（参照番号７０９）。
【００６０】
これに応答して前記ＲＮＣ２乃至前記ＲＮＣｎは、前記ＲＮＣ１が前記７０４段階で遂行した動作と同一に特定ＭＢＭＳ関連Ｄｅｆ＿ＳＧＳＮ＿ＭＢＭＳ＿ｓｅｌ変数を設定する。その後、前記ＲＮＣ２乃至前記ＲＮＣｎは、７１０段階で前記設定した特定ＭＢＭＳ関連Ｄｅｆ＿ＳＧＳＮ＿ＭＢＭＳ＿ｓｅｌ変数（参照番号７１１）を前記ＳＧＳＮ１に提供する。これは前記ＳＧＳＮ１が基準ＳＧＳＮとして成功的に登録されたことを確認させる過程を示す。上述した７０８段階と７１０段階を成功的に遂行する場合、前記ＲＮＣ２乃至前記ＲＮＣｎは、前記ＲＮＣ１により管理されている前記表１と同一の情報を管理することができる。
【００６１】
前記ＳＧＳＮ１は、７１２段階で前記ＲＮＣ１に前記Ｄｅｆ＿ＳＧＳＮ＿ＭＢＭＳ＿ｓｅｌ（参照番号７１３）を伝送することにより、前記ＵＥ１により選択されたＭＢＭＳが成功的に登録されたことを通報する。前記ＲＮＣ１は、７１４段階で前記選択されたＭＢＭＳが成功的に登録されたことを前記ＵＥ１に通報する。これは前記図４の４０６段階に該当する手続きである。前記図４で説明したように、この時、ＴＭＧＩも共に伝送されることができる。
【００６２】
上述した過程を通じて、前記ＵＥ１は、前記ＲＮＣ１及び前記ＳＧＳＮ１を通じて前記選択された特定ＭＢＭＳに対する登録過程を終了する。前記図４の４０８段階以後のような残りの段階の動作は追後説明する。一方、前記図４で示しているシグナリング手続きと前記Ｉｕ−Ｆｌｅｘを導入することにより具現されたシグナリング手続きを比較すると、ＲＮＣが管理する変数が新たに導入されたことが分かる。また、各変数の値を生成及び変更する過程（７０４段階）がＲＮＣに追加されたことが分かる。このために追加的なシグナリングの伝送過程（７０８段階と７１０段階）も導入され、前記図４での手続きと同一の手続きの場合、追加的に伝送されるべき情報（参照番号７０６、７０９、７１１）も必要であることが分かる。
【００６３】
１．２  初期登録された特定ＭＢＭＳに対する登録手続き
次に、ＵＥ１が成功的に特定ＭＢＭＳに関する初期登録手続きを終了した後、前記ＵＥ１と同一のＰＳプールエリアに属した他のＵＥが同一のＭＢＭＳの登録を要求する場合について説明する。以下、説明の便宜のために、他のＳＧＳＮを通じて同一のＭＢＭＳサービスを登録する過程と、基準ＳＧＳＮに設定されたＳＧＳＮ１を通じてＭＢＭＳサービスを登録する過程に区分して説明する。
【００６４】
１．２．１  基準ＳＧＳＮ以外のＳＧＳＮを通じた登録
前記ＵＥ１と同一のＰＳプールエリアに属した任意のＵＥ（以下、ＵＥ２）が基準ＳＧＳＮであるＳＧＳＮではない他のＳＧＳＮを通じて前記ＵＥ１に提供されているＭＢＭＳと同一のＭＢＭＳに対して登録する場合、予想されるシグナリング手続きの例を図８に提示した。前記図８ではＵＥ２はＳＧＳＮ２が割り当てたＰ−ＴＭＳＩを有していると仮定する。
【００６５】
前記図８を参照すると、ＵＥ２は、８０３段階でＵＥ１と同一のＭＢＭＳを選択し、前記選択したＭＢＭＳのサービスをＲＮＣ２に要求する。この時、前記ＵＥ２は、自分の識別者と前記選択したＭＢＭＳ識別者を前記ＲＮＣ２に伝送する。前記ＲＮＣ２は８０４段階で前記ＵＥ２により選択されたＭＢＭＳに関連して初期登録手続きにより管理している該当Ｄｅｆ＿ＳＧＳＮ＿ＭＢＭＳ＿ｓｅｌ変数から前記選択されたＭＢＭＳに対応した基準ＳＧＳＮがＳＧＳＮ１に設定されたことを確認する。前記基準ＳＧＳＮを確認した前記ＲＮＣ２は、前記ＵＥ２のＰ−ＴＭＳＩ値からシグナリング接続がＳＧＳＮ２に設定されるべきであることを確認する。その後、前記ＲＮＣ２は、８０５段階で前記選択されたＭＢＭＳ識別者とＤｅｆ＿ＳＧＳＮ＿ＭＢＭＳ＿ｓｅｌ変数の値（参照番号８０６）を前記ＳＧＳＮ２に伝送する。前記伝送される各変数の値は前記表１と同一である。
【００６６】
前記ＳＧＳＮ２は、８０７段階でＨＬＲにより管理されている情報に基づいて前記ＵＥ２の認証手続きを遂行する。前記認証手続きにより前記ＵＥ２に対する認証が成功的に遂行されると、前記８０８段階ではＳＧＳＮ２がＵＥ２により選択されたＭＢＭＳの識別者と共にＵＥ２の識別者（参照番号８０９）を基準ＳＧＳＮであるＳＧＳＮ１に伝送する。前記選択されたＭＢＭＳの基準ＳＧＳＮである前記ＳＧＳＮ１は、前記ＵＥ２を該当ＭＢＭＳの受信を所望するＵＥ目録に含ませる。前記ＳＧＳＮ１は、前記選択されたＭＢＭＳの受信を所望するＵＥ目録に前記ＵＥ２を新たに登録した後、８１０段階で前記ＵＥ２が登録されたことを前記ＳＧＳＮ２に通報する。この時、前記ＳＧＳＮ１は、前記選択されたＭＢＭＳの識別者とＵＥ２の識別者及び前記ＴＧＭＩ（参照番号８１１）を共に伝送する。前記ＳＧＳＮ２は、８１２段階で前記ＲＮＣ２（参照番号８１３）に前記Ｄｅｆ＿ＳＧＳＮ＿ＭＢＭＳ＿ｓｅｌを伝送し、それによって、ＵＥ２により選択された前記ＭＢＭＳサービスが成功的に登録されたことを前記ＲＮＣ２に通報する。前記ＲＮＣ２は８１４段階で前記選択されたＭＢＭＳが成功的に登録されたことを前記ＵＥ２に通報する。
【００６７】
前記図８の手続きを前記図７の手続きと比較すると、基準ＳＧＳＮに選定されたＳＧＳＮ１がＰＳプールエリアに属した全てのＲＮＣに選択されたＭＢＭＳと関連した前記表１のような情報を伝送する過程（７０８段階乃至７１１段階）に代わり、ＵＥ情報を基準ＳＧＳＮである前記ＳＧＳＮ１に伝送する過程（８０８段階と８１０段階）が新たに追加されたことが分かる。
【００６８】
１．２．２  基準ＳＧＳＮを通じた登録
前記ＵＥ１と同一のＰＳプールエリアに属した任意のＵＥが基準ＳＧＳＮであるＳＧＳＮ１を通じて前記ＵＥ１により提供されるＭＢＭＳと同一のＭＢＭＳを登録する場合、予想されるシグナリング手続きの例を図９に提示した。前記図９で示しているシグナリング手続きは、前記図７で説明したシグナリング手続きの一部である。即ち、前記図９で示しているシグナリング手続きは、前記図７の７０３段階、７０４段階、７０５段階、７０７段階、７１２段階及び７１４段階に対応する。７０８段階と７１０段階は既にＵＥ１による初期登録手続きで遂行された過程であるので省略されることもできる。一方、前記図９の場合、ＵＥ３はＲＮＣ１に属し、ＵＥ４はＲＮＣｎに属すると仮定した。前記ＵＥ３と前記ＵＥ４はＳＧＳＮ１により割り当てられたＰ−ＴＭＳＩを有している。前記図９で示している手続きを成功的に遂行する場合、基準ＳＧＳＮに選択されたＳＧＳＮ１がＰＳプールエリアに属したＵＥのうち該当ＭＢＭＳの受信を所望する全てのＵＥに対する情報を得ることができるので、基準ＳＧＳＮであるＳＧＳＮ１とＧＧＳＮ間のみに特定ＭＢＭＳデータ伝送のための伝送経路が設定されることができる。
【００６９】
前記図９を参照すると、ＵＥ３は、現在自分が位置するセルからサービス可能なＭＢＭＳに関する情報をサービス獲得段階を通じて獲得した後、サービス可能な任意のＭＢＭＳを選択する。前記任意のＭＢＭＳが選択されると、前記ＵＥ３は、９０１段階で前記任意のＭＢＭＳが選択されたことを自分が属したＲＮＣ１に知らせる。この時、ＵＥ３は、自分の識別者（例：Ｐ−ＴＭＳＩ）と選択したＭＢＭＳの識別者を前記ＲＮＣ１に伝送する。
【００７０】
これに対応して前記ＲＮＣ１は、９０２段階で前記ＵＥ３から受信した情報に基づいて選択されたＭＢＭＳ関連基準ＳＧＳＮ情報を検査及び変更する。前記ＵＥ３により選択されたＭＢＭＳと関連した変数が存在することを認知した前記ＲＮＣ１は、前記ＵＥ３の識別者（Ｐ−ＴＭＳＩ）から求められるＮＲＩを変数Ｄｅｆ＿ＳＧＳＮ＿ＭＢＭＳ＿ｓｅｌの値として設定する。この場合、Ｄｅｆ＿ＳＧＳＮ＿ＭＢＭＳ＿ｓｅｌの値はＳＧＳＮ１の識別者に該当する値に設定される。前記Ｄｅｆ＿ＳＧＳＮ＿ＭＢＭＳ＿ｓｅｌの値が成功的に設定されると、前記ＲＮＣ１は前記ＵＥ３により選択されたＭＢＭＳに対して前記表１に追加して管理することができる。
【００７１】
上述した手続きにより所望する情報の設定が完了されると、前記ＲＮＣ１は、９０３段階で前記ＵＥ３が選択したＭＢＭＳ識別者と前記変数の値（参照番号９０４）をＳＧＳＮ１に伝送する。前記ＳＧＳＮ１は、９０５段階でＨＬＲにより管理されている情報に基づいて前記ＵＥ３の認証過程を遂行する。前記ＳＧＳＮ１は、前記ＵＥ３に対する認証が成功的に完了されると、前記ＵＥ３により選択されたＭＢＭＳに対する基準ＳＧＳＮが自分であることを認知するようになる。前記ＳＧＳＮ１は、該当ＭＢＭＳを要求したＵＥの目録に前記ＵＥ３の識別者を追加する。一方、前記ＳＧＳＮ１は、９０６段階で前記ＲＮＣ１に前記Ｄｅｆ＿ＳＧＳＮ＿ＭＢＭＳ＿ｓｅｌを伝送することにより、前記ＵＥ３により選択されたＭＢＭＳが成功的に登録されたことを通報する。前記ＲＮＣ１は、９０８段階で前記選択されたＭＢＭＳが成功的に登録されたことを前記ＵＥ３に通報する。
【００７２】
一方、前記ＵＥ４により選択されたＭＢＭＳを登録するための９０９段階乃至９１６段階に対しては具体的に説明しないが、上述した９０１段階乃至９０８段階と同一の手続きにより遂行されることは自明であるだろう。従って、詳細な説明は省略する。
【００７３】
１．３  特定ＭＢＭＳに対するサービス通報手続き
図１０は、前記図７乃至前記図９で提示した手続きを通じて特定ＭＢＭＳに対する登録を完了したＵＥに対して実際ＭＢＭＳが提供される場合、これを知らせる方法を示したものである。これは追後サービス可能なＭＢＭＳサービスに対する制御流れを示している前記図４の４０８段階と４０９段階に該当するシグナリング手続きに該当する。
【００７４】
前記図１０を参照すると、１００１段階は、前記図７、前記図８及び前記図９でＵＥが選択したＭＢＭＳが開始される以前に、ＧＧＳＮが基準ＳＧＳＮに設定されたＳＧＳＮ１にサービスの開始を知らせる。
前記ＳＧＳＮ１は、前記ＧＧＳＮから前記選択したＭＢＭＳの開始が通報されると、１００２段階乃至１００４段階でＰＳプールエリアに属する全てのＲＮＣ（ＲＮＣ１乃至ＲＮＣｎ）のうち、前記該当ＭＢＭＳの受信を要求したＵＥを管理するＲＮＣに該当ＭＢＭＳの開始を通報するようになる。この時、使用可能なメッセージとして、既存のＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）メッセージである呼び出しメッセージ（ｐａｇｉｎｇ  ｍａｓｓａｇｅ）が使用されることができる。前記該当ＭＢＭＳを選択したＵＥが他のセルに移動する可能性を考慮する場合、前記呼び出しメッセージはＰＳプールエリアに属する全てのＲＮＣに伝送されることもできる。
【００７５】
前記呼び出しメッセージを受信したＲＮＣは、関連ＵＥに登録されたＭＢＭＳの開始を知らせるべきである。これに対する手続きが１００５段階、１００８段階及び１０１２段階により遂行される。前記段階で使用可能なメッセージにはページングタイプ１（ｐａｇｉｎｇ  ｔｙｐｅ）またはページングタイプ２（ｐａｇｉｎｇ  ｔｙｐｅ）などがある。メッセージ種類は該当ＵＥのＲＲＣ状態により選択されることができる。前記ページングタイプ１またはページングタイプ２を受信したＵＥは、自分が選択したＭＢＭＳを実際に受信することを該当ＲＮＣに知らせる。１００６段階、１００９段階及び１０１３段階がこれに該当する。前記１００６段階ではＵＥ１とＵＥ３がＲＮＣ１に選択したＭＢＭＳを実際に受信することを通報し、前記１００９段階ではＵＥ２がＲＮＣ２に選択したＭＢＭＳを実際に受信することを通報する。前記１０１３段階ではＵＥ４がＲＮＣｎに選択したＭＢＭＳを実際に受信することを通報する。この時、使用可能なメッセージには呼び出し応答（ｐａｇｉｎｇ  ｒｅｓｐｏｎｓｅ）メッセージがある。
【００７６】
前記それぞれのＲＮＣは、該当ＭＢＭＳに対して連結を有するＳＧＳＮに該当ＵＥがＭＢＭＳサービスを要請したことを通報する。即ち、前記ＲＮＣ１と前記ＲＮＣｎは、基準ＳＧＳＮである前記ＳＧＳＮ１に前記ＵＥ１、ＵＥ３及びＵＥ４がＭＢＭＳを受信しようとする事実を通報する。これは１００７段階と１０１４段階に該当する。しかし、前記ＲＮＣ２は、前記ＵＥ２がＭＢＭＳを受信しようとする事実をＳＧＳＮ２に通報すべきであり、前記ＳＧＳＮ２はこれをさらにＳＧＳＮ１に知らせるべきである。これは１０１０段階と１０１１段階に該当する。この時、前記１０１１段階ではＭＢＭＳ識別者、またはＴＭＧＩそしてＵＥ識別者などが伝送されるべきである。
【００７７】
上述した全ての段階を成功的に遂行したＵＥ、ＲＮＣ（ＵＴＲＡＮ）及び基準ＳＧＳＮであるＳＧＳＮ１間には、前記図４の４１１段階、４１２段階、４１３段階及び４１４段階を経てＭＢＭＳ提供のための伝送経路が設定されることができる。
【００７８】
１．４  サービス中であるＭＢＭＳに対する登録手続き
図１１は、任意のＰＳプールエリアで既に提供中であるＭＢＭＳをＵＥが選択する場合に予想される手続きである。この場合、ＰＳプールエリアに含まれる全てのＲＮＣは、前記図７乃至前記図１０で示している全ての段階が遂行されながら、該当ＭＢＭＳに対する基準ＳＧＳＮに対する情報を既に有している状況である。前記図１１の場合、ＵＥ５はＲＮＣ１に属し、ＳＧＳＮ１がＰ−ＴＭＳＩを割り当てたことと仮定する。また、前記ＵＥ５が要求したＭＢＭＳの基準ＳＧＳＮはＤｅｆ＿ＳＧＳＮ＿ＭＢＭＳ＿ｓｅｌに設定されている状況を仮定する。前記図１１では基準ＳＧＳＮをＤｅｆ＿ＳＧＳＮと仮定している。
【００７９】
前記図１１を参照すると、ＵＥ５は１１０１段階で既に提供中であるＭＢＭＳを選択してこれをＲＮＣ１に知らせる。前記ＲＮＣ１は１１０２段階で前記ＵＥ５により選択されたＭＢＭＳ関連Ｄｅｆ＿ＳＧＳＮ＿ＭＢＭＳ＿ｓｅｌを確認する。本例の場合、Ｄｅｆ＿ＳＧＳＮ＿ＭＢＭＳ＿ｓｅｌの値は、Ｄｅｆ＿ＳＧＳＮを意味する値である。前記ＲＮＣ１は、１１０３段階で前記ＵＥ５のＰ−ＴＭＳＩから前記ＵＥ５が選択したＭＢＭＳ関連情報がＳＧＳＮ１に伝送されるべきであることを判断し、これを前記ＳＧＳＮ１に知らせる。上述した１１０１段階、１１０２段階そして１１０３段階は、前記図３の３０４段階に該当する。
【００８０】
前記ＳＧＳＮ１は、１１０４段階でＨＬＲにより管理されている情報に基づいて前記ＵＥ５を認証するための認証手続きを遂行する。前記認証手続きは、前記図３の３０５段階に該当する。前記ＳＧＳＮ１は、１１０５段階で前記ＵＥ５が選択したＭＢＭＳ識別者と前記ＵＥ５の識別者を基準ＳＧＳＮに設定されたＤｅｆ＿ＳＧＳＮに知らせる。前記Ｄｅｆ＿ＳＧＳＮは、該当ＭＢＭＳデータを受信するＵＥの目録（Ｍｕｌｔｉｃａｓｔ  Ｇｒｏｕｐ）にＵＥ５を含ませた後、１１０６段階でこれを前記ＳＧＳＮ１に通報する。前記ＳＧＳＮ１は、１１０７段階で前記ＲＮＣ１に前記ＵＥ５の登録が成功的に遂行されたことを知らせる。これは前記図３の３０６段階に該当する手続きである。
【００８１】
もし、前記ＲＮＣ１で既に前記ＵＥ５が選択したＭＢＭＳが提供されている場合、即ち前記ＲＮＣ１に属した他のＵＥが既に該当ＭＢＭＳデータを受信していると、前記ＲＮＣ１は、前記ＵＥ５がＭＢＭＳデータの受信に必要なパラメータを１１０９段階で伝送することができる。しかし、前記ＲＮＣ１と同一のＰＳプールエリアに属した他のＲＮＣが該当ＭＢＭＳデータを提供している中であり、前記ＲＮＣ１に属したＵＥのうち、該当ＭＢＭＳデータを受信するＵＥがない場合、１１０８段階のような前記Ｄｅｆ＿ＳＧＳＮと前記ＲＮＣ１間にＭＢＭＳデータ伝送のための経路を設定する手続きが必要である。
【００８２】
上述した図３の手続きと比較する場合、前記１１０２段階、前記１１０４段階、前記１１０５段階、前記１１０６段階及び前記１１０８段階が追加されることが分かる。また前記１１０３段階のように前記図３に既に定義された段階であっても伝送するパラメータの値は異なる。
【００８３】
１．５  特定ＭＢＭＳの終了手続き
図１２は、特定ＭＢＭＳサービスが終了される場合、各ＲＮＣにより管理されていた該当基準ＳＧＳＮ関連情報が削除されるべきであることを示す。このために基準ＳＧＳＮはＰＳプールエリアに属する全てのＲＮＣに該当ＭＢＭＳの識別者を伝送する。これを受信した全てのＲＮＣは自分が管理していた該当ＭＢＭＳに対する前記表１のような情報を削除する。
【００８４】
１．６  特定ＭＢＭＳに対する最初登録手続きの他の例
前記図７を参照して説明した最初登録手続きは、ＵＥがＲＮＣに特定ＭＢＭＳの提供を要請することを仮定している。しかし、後述される最初登録手続きの他の例では前記ＵＥが特定ＭＢＭＳの提供をＳＧＳＮに要請し、前記ＳＧＳＮが前記ＵＥと無線接続が可能なＲＮＣに前記ＵＥにより特定ＭＢＭＳの提供が要請されたことを通報することを仮定している。
【００８５】
図１８は図７の場合と同一の仮定を有する。即ち、図１８は、任意のＰＳプールエリアに属するＵＥのうち、任意一つのＵＥが最初に特定ＭＢＭＳを選択する過程を示す。しかし、この場合は前記ＵＥが選択したＭＢＭＳに関連した情報がＮＡＳ（ｎｏｎ  ａｃｃｅｓｓ  ｓｔｒａｔｕｍ）メッセージに含まれる場合の例である。前記“ＮＡＳメッセージ”とはＲＮＣがそのメッセージに含まれた内容を把握できないことを意味する。一方、説明の便宜のために、ＲＮＣ１とＲＮＣ２は同一のＰＳプールエリアに属し、ＳＧＳＮ１とＳＧＳＮ２が共に前記ＰＳプールエリアに属したＲＮＣを管理すると仮定する。
【００８６】
前記図１８を参照すると、ＲＮＣ１に属するＵＥは１８０１段階で特定ＭＢＭＳを選択してこれを自分の識別者と共にＳＧＳＮ１に知らせる。この時、前記ＵＥは前記ＳＧＳＮ１が割り当てたＰ−ＴＭＳＩを有していると仮定する。前記ＵＥが選択した前記特定ＭＢＭＳを区分するＭＢＭＳ関連識別者と前記自分の識別者はＡｃｔｉｖａｔｅ  ＭＢＭＳ  Ｃｏｎｔｅｘｔ  Ｒｅｑｕｅｓｔメッセージを通じて前記ＳＧＳＮ１に伝達されることができる。
【００８７】
前記ＳＧＳＮ１は前記Ａｃｔｉｖａｔｅ  ＭＢＭＳ  Ｃｏｎｔｅｘｔ  Ｒｅｑｕｅｓｔメッセージを受信する時、１８０２段階に進行して前記ＵＥが該当ＭＢＭＳを受信できるかを検証する過程を遂行する。前記検証過程が成功的に遂行される場合、前記ＳＧＳＮ１は１８０３段階で前記ＵＥが選択したＭＢＭＳ関連識別者などの情報をＲＮＣ１に伝達する。この時、前記選択したＭＢＭＳ関連識別者などの情報はＲｅｑｕｅｓｔ  ＭＢＭＳ  Ｊｏｉｎメッセージを通じて伝達されることができる。前記ＲＮＣ１は前記受信されたＭＢＭＳ関連識別者などの情報により前記ＭＢＭＳ関連識別者に対応するＭＢＭＳのための基準ＳＧＳＮが設定されているかを検査する。もし基準ＳＧＳＮが設定されていない場合、前記ＲＮＣ１は任意のＳＧＳＮを基準ＳＧＳＮに設定する。
【００８８】
そして、１８０４段階で前記設定された基準ＳＧＳＮにＵＥ識別者と選択されたＭＢＭＳ識別者などをＭＢＭＳ  Ｊｏｉｎ  Ｎｏｔｉｆｉｃａｔｉｏｎメッセージを通じて伝達する。しかし、既に選択されたＭＢＭＳ関連基準ＳＧＳＮが設定された場合、該当基準ＳＧＳＮに前記ＵＥ識別者と前記選択されたＭＢＭＳ識別者などを知らせる。前記図１８では前記設定された基準ＳＧＳＮをＳＧＳＮ２に仮定している。ここでＲＮＣが特定ＭＢＭＳのための基準ＳＧＳＮが設定されていない場合、これを設定する方法は具現に関連されたものである。一番容易な方法には既存のＩｕ−  ＦｌｅｘでのようにＳＧＳＮの負荷を考慮して設定する方法などが使用されることができる。
【００８９】
前記基準ＳＧＳＮは、前記選択されたＭＢＭＳ関連情報を設定した後、１８０５段階で前記ＲＮＣ１と同一のＰＳプールエリアに属した全てのＲＮＣに前記選択されたＭＢＭＳ識別者と共に自分が該当ＭＢＭＳの基準ＳＧＳＮに設定されたことを知らせる。しかし、前記ＳＧＳＮ２が既に該当ＭＢＭＳ関連した情報を貯蔵している場合、前記１８０４段階で受信したＵＥ識別者を該当ＭＢＭＳ関連情報に追加した後、１８０９段階に進行する。
【００９０】
１８０６段階と１８０８段階は基準ＳＧＳＮである前記ＳＧＳＮ２とＧＧＳＮ間に該当ＭＢＭＳデータを伝送するためのチャネルを設定する過程を示す。このような過程は、前記１８０１段階で前記ＵＥが前記ＳＧＳＮ２で管理するＰＳプールエリアで初めに該当ＭＢＭＳを選択する場合に遂行される。一方、前記ＧＧＳＮは前記ＳＧＳＮ２から該当ＭＢＭＳデータの伝送のためのチャネル設定要請が受信されると、１８０７段階に進行してＭＢ−ＳＣに関連ＭＢＭＳデータが自分にも伝送されるべきであることを知らせるＪｏｉｎ  ＩＰマルチキャストメッセージを伝達する。
【００９１】
前記１８０４段階から前記１８０９段階に進行すると、前記ＳＧＳＮ２は前記選択されたＭＢＭＳに関連されたＴＭＧＩを割り当てた後、これをＭＢＭＳ  Ｃｏｎｔｅｘｔ  Ｃｒｅａｔｅ  Ｎｏｔｉｆｉｃａｔｉｏｎメッセージを通じて前記ＳＧＳＮ１に伝達する。前記ＳＧＳＮ１は、前記ＳＧＳＮ２から提供された前記ＴＭＧＩを１８１０段階で前記ＵＥに伝達する。
【００９２】
上述したように、前記ＵＥと同一のＰＳプールエリアに属したさらに他のＵＥが同一のＭＢＭＳを選択する場合、前記１８０６段階、前記１８０７段階、前記１８０８段階は省略されることができる。一方、前記１８０４段階で前記ＲＮＣ（この場合、ＲＮＣ１またはＲＮＣ２）は既に基準ＳＧＳＮに設定されたＳＧＳＮ２に該当ＵＥの識別者とＭＢＭＳ識別者を伝送する。
【００９３】
２．ＳＧＳＮが基準ＳＧＳＮ情報を管理する方法
次に、ＳＧＳＮが前記表１のような情報を管理する方法に対して説明する。
前記ＳＧＳＮが該当ＭＢＭＳに関連された情報を管理するためには、Ｉｕ−Ｆｌｅｘが導入されない場合に比べて追加的に定義されるべき事項は次のようである。
【００９４】
（１）ＳＧＳＮは、ＭＢＭＳ識別者別に該当基準ＳＧＳＮ情報を追加的に貯蔵及び管理すべきである。参考にＩｕ−Ｆｌｅｘが導入されない場合にも、ＳＧＳＮはＭＢＭＳ別にＴＭＧＩ及び該当サービスのデータ受信を所望するＵＥの目録を管理すべきである。
（２）基準ＳＧＳＮ情報は、ＵＥが選択したＭＢＭＳ識別者をＲＮＣから受信するか、他のＳＧＳＮから基準ＳＧＳＮに関する情報を受信する場合に設定されることができる。
（３）ＳＧＳＮは、任意のＵＥが選択したＭＢＭＳと関連した基準ＳＧＳＮが設定されていない場合、自分の識別者を基準ＳＧＳＮの値に設定する。また他のＳＧＳＮに自分の識別者と該当ＭＢＭＳ識別者を知らせる。
（４）ＳＧＳＮは、他のＳＧＳＮから受信したＭＢＭＳデータの基準ＳＧＳＮ値を使用して前記表１のような情報を貯蔵する。
（５）任意のＭＢＭＳが終了される場合、該当基準ＳＧＳＮは、ＰＳプールエリアを共同に管理する他のＳＧＳＮに該当サービスの識別者を伝送し、これを受信した全てのＳＧＳＮは自分が管理していた前記表１のような情報を削除する。
【００９５】
前記追加された規則を基づいて前記図３と前記図４により定義されたシグナリングの流れが再定義される例を説明する。説明の便宜のために、任意のＰＳプールエリアに属したＵＥのうち、最初に特定ＭＢＭＳに対する登録を遂行する過程と、前記過程が成功的に遂行された後、同一のＰＳプールエリアに属する他のＵＥが同一のＭＢＭＳを選択する場合に区分して説明する。
【００９６】
２．１  特定ＭＢＭＳに対する初期登録手続き
図１３は、任意のＰＳプールエリアに属するＵＥのうち、最初のＵＥが特定ＭＢＭＳを選択する過程を示した図である。これは前記図４の４０４段階から４０６段階に該当する手続きであり、上述した図７の場合と同一の状況における他の例である。一方、前記図１３ではＵＥ１がＲＮＣ１の管理する領域（ＲＡＮノードエリア１）に位置し、初期登録過程を経てＳＧＳＮ１が割り当てたＰ−ＴＭＳＩを有していると仮定する。またＲＮＣ１、ＲＮＣ２そしてＲＮＣｎは同一のＰＳプールエリア１３０１に属し、ＳＧＳＮ１、ＳＧＳＮ２そしてＳＧＳＮｎ１３０２が前記ＰＳプールエリア１３０１を共同に管理すると仮定する。
【００９７】
前記図１３を参照すると、ＵＥ１は、現在自分が位置するセルからサービス可能なＭＢＭＳに関する情報をサービス獲得段階を通じて獲得した後、サービス可能な任意のＭＢＭＳを選択する。前記任意のＭＢＭＳの選択が遂行されると、前記ＵＥ１は１３０３段階で前記任意のＭＢＭＳが選択されたことを自分が属したＲＮＣ１に通報する。前記ＲＮＣ１は、前記ＵＥ１の識別者から該当メッセージがＳＧＳＮ１に送信されるべきであることを決定する。前記ＲＮＣ１は、上述したような決定により前記メッセージを前記ＳＧＳＮ１に通報する。この時、ＵＥ１は自分の識別者（例：Ｐ−ＴＭＳＩ）と選択したＭＢＭＳの識別者を前記ＳＧＳＮ１に伝送する。これは前記図４の４０４段階に該当する。
【００９８】
これに対応して前記ＳＧＳＮ１は、１３０４段階でＨＬＲにより管理されている情報に基づいて前記ＵＥ１を認証する過程を遂行する。これは前記図４の４０５段階と同一である。前記ＳＧＳＮ１は、前記認証過程により前記ＵＥ１に対する認証が成功的に完了されると、前記ＵＥ１により選択されたＭＢＭＳに対する基準ＳＧＳＮが自分であることを認知するようになる。前記ＳＧＳＮ１は、自分が前記選択されたＭＢＭＳに対応して基準ＳＧＳＮと認知すると、自分が前記選択されたＭＢＭＳ関連情報を有していないことを確認する。そして前記選択されたＭＢＭＳに関連したＴＭＧＩを割り当てた後、該当ＭＢＭＳを要求したＵＥの目録に前記ＵＥ１の識別者を追加する。
【００９９】
一方、前記ＳＧＳＮ１は、上述した認証手続きにより認証が成功的に完了されると、１３０５段階で前記ＵＥ１から受信した情報を基に選択されたＭＢＭＳ関連基準ＳＧＳＮ情報を検査及び変更する。前記図１３で示しているシグナリング手続きは、任意のＰＳプールエリアでＵＥ１から初めに選択されるＭＢＭＳを仮定しているので、該当ＭＢＭＳと関連したＤｅｆ＿ＳＧＳＮ＿ＭＢＭＳ＿ｓｅｌ変数はまだ生成されない状態であることが分かる。ここで、Ｄｅｆ＿ＳＧＳＮ＿ＭＢＭＳ＿ｓｅｌ変数は上述した第１実施形態と同一に生成されることができる。即ち、基準ＳＧＳＮを識別するための識別者として、既存に提供されている情報を使用するか、任意の数式を利用してＳＧＳＮの識別のための固有の識別者を設定することもできる。従って、前記ＵＥ１により選択されたＭＢＭＳＤｅｆ＿ＳＧＳＮ＿ＭＢＭＳ＿ｓｅｌ変数は、生成と関連した変数が存在しないことを認知した前記ＲＮＣ１が、前記ＵＥ１の識別者（Ｐ−ＴＭＳＩ）から求められるＮＲＩに該当するＳＧＳＮの識別者を変数Ｄｅｆ＿ＳＧＳＮ＿ＭＢＭＳ＿ｓｅｌの値に設定する。本実施形態の場合、Ｄｅｆ＿ＳＧＳＮ＿ＭＢＭＳ＿ｓｅｌの値はＳＧＳＮ１の識別者に該当する値に設定される。前記Ｄｅｆ＿ＳＧＳＮ＿ＭＢＭＳ＿ｓｅｌの値が成功的に設定されると、前記ＳＧＳＮ１は前記ＵＥ１により選択されたＭＢＭＳに対して下記表２のような情報を管理することができる。
【０１００】
【表２】
2004166197.tif 000004
【０１０１】
任意のＭＢＭＳに対応して設定された基準ＳＧＳＮは、前記表２のような情報をＭＢＭＳ別に管理すべきである。
上述した手続きにより所望する情報の設定が完了されると、前記ＳＧＳＮ１は、１３０６段階で前記ＵＥ１が選択したＭＢＭＳ識別者と前記変数の値１３０７を自分と同一のＰＳプールエリアに属する全てのＳＧＳＮに伝送する。即ち、前記ＳＧＳＮ１は自分が前記該当ＭＢＭＳに対応して基準ＳＧＳＮに設定されたことを残りのＳＧＳＮ（ＳＧＳＮ２乃至ＳＧＳＮｎ）に通報する。この時、伝送される情報には前記ＭＢＭＳ識別者だけではなく基準ＳＧＳＮの識別者（Ｄｅｆ＿ＳＧＳＮ＿ＭＢＭＳ＿ｓｅｌ）などになることができる（参照番号１３０７）。
【０１０２】
これに応答して前記ＳＧＳＮ２乃至前記ＳＧＳＮｎは、前記ＳＧＳＮ１が前記１３０５段階で遂行した動作と同一に特定ＭＢＭＳ関連Ｄｅｆ＿ＳＧＳＮ＿ＭＢＭＳ＿ｓｅｌ変数を設定する。そして、前記ＳＧＳＮ２乃至前記ＳＧＳＮｎは１３０８段階で前記設定した特定ＭＢＭＳ関連Ｄｅｆ＿ＳＧＳＮ＿ＭＢＭＳ＿ｓｅｌ変数（参照番号１３０９）を前記ＳＧＳＮ１に通報する。これは前記ＳＧＳＮ１が基準ＳＧＳＮとして成功的に登録されたことを確認する過程を示す。上述した１３０６段階と１３０８段階を成功的に遂行する場合、前記ＳＧＳＮ２乃至前記ＳＧＳＮｎは、前記ＳＧＳＮ１により管理されている前記表２と同一の情報を管理することができる。
【０１０３】
前記ＳＧＳＮ１は、１３１０段階で前記ＲＮＣ１に前記Ｄｅｆ＿ＳＧＳＮ＿ＭＢＭＳ＿ｓｅｌを伝送することにより、前記ＵＥ１により選択されたＭＢＭＳが成功的に登録されたことを通報する。これに応答して前記ＲＮＣ１は前記選択されたＭＢＭＳが成功的に登録されたことを前記ＵＥ１に通報する。これは前記図４の４０６段階に該当する手続きである。前記図４で説明したように、この時にＴＭＧＩ値も共に伝送されることができる。
【０１０４】
上述した過程を経ながら、前記ＵＥ１は、前記ＲＮＣ１及び前記ＳＧＳＮ１を通じて前記選択された特定ＭＢＭＳに対する登録過程を完了する。一方、前記図４で示しているシグナリング手続きと前記Ｉｕ−Ｆｌｅｘを導入することにより具現されたシグナリング手続きを比較してみると、ＳＧＳＮが管理する変数が新たに導入されたことが分かる。また、各変数の値を生成及び変更する過程（１３０５段階）がＲＮＣに追加されたことが分かる。勿論、このために追加的なシグナリングの伝送過程（１３０６段階と１３０８段階）も導入されたことが分かる。
【０１０５】
２．２  初期登録された特定ＭＢＭＳに対する登録手続き
次に、ＵＥ１が成功的に特定ＭＢＭＳに関する初期登録手続きを終了した後、前記ＵＥ１と同一のＰＳプールエリアに属した他のＵＥが同一のＭＢＭＳの登録を要求する場合の過程に対して説明する。以下、説明の便宜のために既に基準ＳＧＳＮに設定されたＳＧＳＮ１を通じてＭＢＭＳを登録する過程と、他のＳＧＳＮを通じて同一のＭＢＭＳを登録する過程に区分して説明する。
【０１０６】
２．２．１  基準ＳＧＳＮ以外のＳＧＳＮを通じた登録
前記ＵＥ１と同一のＰＳプールエリアに属した任意のＵＥ（以下、ＵＥ２）が基準ＳＧＳＮであるＳＧＳＮではない他のＳＧＳＮを通じて前記ＵＥ１に提供されているＭＢＭＳと同一のＭＢＭＳに対して登録する場合、予想されるシグナリング手続きの例を図１４に提示した。前記図１４の例でＵＥ２はＳＧＳＮ２が割り当てたＰ−ＴＭＳＩを有していると仮定する。
【０１０７】
前記図１４を参照すると、ＵＥ２は、１４０３段階でＵＥ１と同一のＭＢＭＳを選択してこれをＲＮＣ２に知らせる。この時、前記ＵＥ２は、自分の識別者と選択したＭＢＭＳ識別者を共にＳＧＳＮ２に伝送する。前記ＳＧＳＮ２は、１４０４段階でＨＬＲにより管理されている情報に基づいて前記ＵＥ２の認証のための認証手続きを遂行する。前記認証手続きにより前記ＵＥ２に対する認証が成功的に遂行されると、前記ＳＧＳＮ２は、１４０５段階で前記ＵＥ２が選択したＭＢＭＳと関連して該当Ｄｅｆ＿ＳＧＳＮ＿ＭＢＭＳ＿ｓｅｌ変数の値がＳＧＳＮ１に設定されたことを確認することができる。前記ＳＧＳＮ２は、１４０６段階で前記ＵＥ２により選択されたＭＢＭＳの識別者と共に前記ＵＥ２の識別者（参照番号１４０７）を基準ＳＧＳＮであるＳＧＳＮ１に伝送する。前記ＳＧＳＮ１は、１４０８段階で前記ＵＥ２を該当ＭＢＭＳデータの受信を所望するＵＥ目録に追加した後、該当ＴＭＧＩ（参照番号１４１９）を前記ＳＧＳＮ２に知らせる。前記ＳＧＳＮ２は１４１０段階で前記ＵＥ２に前記選択したＭＢＭＳに対する登録が成功的に遂行されたことを知らせる。
【０１０８】
２．２．２  基準ＳＧＳＮを通じた登録
図１５は、ＵＥ１と同一のＰＳプールエリアに属した他のＵＥが続けて基準ＳＧＳＮであるＳＧＳＮ１を通じて同一のＭＢＭＳサービスに対する登録を要求する場合に予想されるシグナリング手続きである。前記図１５の場合、ＵＥ３はＲＮＣ１に属し、ＵＥ４はＲＮＣｎに属すると仮定する。また、前記ＵＥ３と前記ＵＥ４は全てＳＧＳＮ１で割り当てたＰ−ＴＭＳＩを有していると仮定する。
【０１０９】
前記図１５を参照すると、ＵＥ３は、１５０１段階でＵＥ１と同一のＭＢＭＳを選択してこれをＲＮＣ１に知らせる。前記ＲＮＣ１は、これをさらに基準ＳＧＳＮであるＳＧＳＮ１に通報する。この時、前記ＵＥ３は、自分の識別者と選択したＭＢＭＳ識別者を共に伝送する。前記ＳＧＳＮ１は、１５０２段階でＨＬＲにより管理されている情報に基づいて前記ＵＥ３の認証のための認証手続きを遂行する。前記認証手続きにより前記ＵＥ３に対する認証が成功的に遂行されると、前記ＳＧＳＮ１は１５０３段階で前記ＵＥ３が選択したＭＢＭＳと関連して自分が既に基準ＳＧＳＮに設定されていることを確認する。そして、前記ＵＥ３を該当ＭＢＭＳデータの受信を所望するＵＥ目録に追加する。前記ＳＧＳＮ１は、１５０４段階でＲＮＣ１にＤｅｆ＿ＳＧＳＮ＿ＭＢＭＳ＿ｓｅｌ（参照番号１５１０）を伝送する。前記ＲＮＣ１は前記Ｄｅｆ＿ＳＧＳＮ＿ＭＢＭＳ＿ｓｅｌを前記ＵＥ３に伝送することにより、前記ＵＥ３に前記選択したＭＢＭＳが成功的に登録されたことを知らせる。しかし、前記１５０４段階は省略されることもできる。
【０１１０】
一方、ＵＥ１と同一のＭＢＭＳを選択したＵＥ４を基準ＳＧＳＮに登録する手続きは、１５０６段階乃至１５０９段階により遂行される。前記手続きは前記ＵＥ３に対して遂行された手続きと同一の手順により遂行される。
【０１１１】
前記図１３、前記図１４そして前記図１５の例で提示した手続きを成功的に遂行する場合、基準ＳＧＳＮに選択されたＳＧＳＮ１がＰＳプールエリアに属したＵＥのうち、該当ＭＢＭＳデータの受信を所望する全てのＵＥに対する情報を獲得することができるので、前記ＳＧＳＮ１とＧＧＳＮ間のみに特定ＭＢＭＳデータの伝送のための経路が設定されることができる。
【０１１２】
前記図１３、前記図１４そして前記図１５で提示した手続きを通じて特定ＭＢＭＳに対する登録を完了したＵＥに対して実際ＭＢＭＳが提供される時、これを知らせる方法は第１実施形態での図１０で示しているシグナリング手続きをそのままに従う。
【０１１３】
２．２．３  サービス中であるＭＢＭＳに対する登録
図１６は、任意のＰＳプールエリアで既に提供中であるＭＢＭＳをＵＥが選択する場合に予想されるチャネル生成手続きである。この場合、同一のＰＳプールエリアを共同に管理する全てのＳＧＳＮは、前記図１３乃至前記図１５までの過程を遂行することにより、該当ＭＢＭＳに対する基準ＳＧＳＮに対する情報を既に有している状況であることが分かる。一方、前記Ｉｕ−Ｆｌｅｘが適用されないと、既に提供中であるＭＢＭＳを要請する手続きは前記図３に示している。前記図１６の場合、ＵＥ５はＲＮＣ１に属し、ＳＧＳＮ１がＰ−ＴＭＳＩを割り当てたことに仮定する。また前記ＵＥ５が要求したＭＢＭＳの基準ＳＧＳＮはＤｅｆ＿ＳＧＳＮに設定されている状況を仮定する。
【０１１４】
前記図１６を参照すると、ＵＥ５は、１６０１段階で既にサービスされているＭＢＭＳを選択してこれをＲＮＣ１に知らせる。前記ＲＮＣ１は、前記ＵＥ５のＰ−ＴＭＳＩから前記ＵＥ５が選択したＭＢＭＳ関連情報がＳＧＳＮ１に伝送されるべきであることを判断し、これを前記ＳＧＳＮ１に知らせる。前記ＳＧＳＮ１は、１６０２段階でＨＬＲにより管理されている情報に基づいて前記ＵＥ５を認証する認証手続きを遂行する、前記認証手続きは、前記図３の３０５段階に該当する。前記ＳＧＳＮ１は、１６０３段階で前記ＵＥ５が選択したＭＢＭＳ関連Ｄｅｆ＿ＳＧＳＮ＿ＭＢＭＳ＿ｓｅｌ値を確認する。この場合、Ｄｅｆ＿ＳＧＳＮ＿ＭＢＭＳ＿ｓｅｌの値は、Ｄｅｆ＿ＳＧＳＮを意味する値である。前記ＳＧＳＮ１は、１６０４段階で前記ＵＥ５が選択したＭＢＭＳ識別者と前記ＵＥ５の識別者を基準ＳＧＳＮに設定されたＤｅｆ＿ＳＧＳＮに知らせる。前記Ｄｅｆ＿ＳＧＳＮは、１６０５段階で該当ＭＢＭＳデータを受信するＵＥ目録にＵＥ５を追加した後、これを前記ＳＧＳＮ１に知らせる。前記ＳＧＳＮ１は、１６０６段階で前記ＲＮＣ１に前記ＵＥ５の登録が成功的に完了されたことを知らせる。これは前記図３の３０６段階に該当する手続きである。
【０１１５】
もし、前記ＲＮＣ１が既に前記ＵＥ５が選択したＭＢＭＳを提供している場合であっても、即ち前記ＲＮＣ１に属した他のＵＥが既に該当ＭＢＭＳを受信していると、前記ＲＮＣ１は前記ＵＥ５がＭＢＭＳデータの受信に必要なパラメータを１６０８段階で伝送することができる（１６０７段階は省略されることができる）。しかし前記ＲＮＣ１と同一のＰＳプールエリアに属した他のＲＮＣが該当ＭＢＭＳを提供しており、前記ＲＮＣ１に属したＵＥのうち、該当ＭＢＭＳを受信するＵＥがないと、１６０７段階のような前記Ｄｅｆ＿ＳＧＳＮと前記ＲＮＣ１間にＭＢＭＳデータ伝送のためのチャネルを準備する手続きが必要である。
【０１１６】
２．３  特定ＭＢＭＳの終了による手続き
図１７は、特定ＭＢＭＳが終了される場合、各ＳＧＳＮが管理していた前記表２のような該当ＳＧＳＮ関連情報が削除されるべきであることを示す。このために基準ＳＧＳＮは、同一のＰＳプールエリアを共同に管理する全てのＳＧＳＮに該当ＭＢＭＳの識別者を伝送し、これを受信した全てのＳＧＳＮは自分が管理していた該当ＭＢＭＳに対する前記表２のような情報を削除する。
【０１１７】
前記実施形態は、同一にＣＳプールアリアにも適用可能なことは当然であり、これによってＭＢＭＳでなくとも、同一プールに属するＵＥからのデータ受信要請によるＲＮＣはｍＳＧＳＮまたはＭＳＣを設定において、基準ＳＧＳＮまたは基準ＭＳＣを通じた伝送経路を設定してそのデータの受信を遂行可能なことは当然である。また前記の実施形態はＲＮＣとＳＧＳＮでの管理方案に対する実施形態のみを記述しているが、ＨＬＲを通じてＭＢＭＳのＲＮＣとＳＧＳＮ間の伝送経路管理も実施可能なことは当然である。また、ＭＢＭＳでない、固定網で遂行されるサービスの場合にもデータの伝送経路をサービス別に管理できることは勿論である。
【０１１８】
３．ＭＢＭＳデータ伝送手続き
図１９は、前記図７、図１３、図１８のような過程を経ながら、ＵＥが特定ＭＢＭＳを選択し、これに該当する基準ＳＧＳＮが設定された後、実際に該当ＭＢＭＳデータが伝送され始める時点で発生可能なサービスの処理手続きを示している図である。
【０１１９】
ＭＢ−ＳＣは、１９０１段階で関連ＭＢＭＳデータをスケジューリングした後、ＧＧＳＮに伝送する。前記ＧＧＳＮは前記ＭＢＭＳデータをさらに該当基準ＳＧＳＮであるＳＧＳＮ２に伝送する。前記ＳＧＳＮ２は、前記ＭＢＭＳデータを受信すると、１９０２段階に進行して関連ＲＮＣにＭＢＭＳが実際に開始されることを通報する。これに応答した各ＲＮＣは、１９０３段階で各ＵＥに該当ＭＢＭＳが実際に開始されたことを通報する。ここで“関連ＲＮＣ”とは、該当ＭＢＭＳを選択したＵＥを含むＲＮＣ、またはサービス領域に含まれる全てのＲＮＣになることができる。
【０１２０】
前記ＲＮＣは、１９０４段階で実際にＭＢＭＳデータを受信することをＭＢＭＳサービスリクエストメッセージ（ＭＢＭＳ  ｓｅｒｖｉｃｅ  ｒｅｑｕｅｓｔ  ｍｅｓｓａｇｅ）を通じて前記ＳＧＳＮ２に知らせる。一方、前記ＲＮＣと前記ＳＧＳＮ２は、１９０５段階、１９０６段階を通じて該当ＭＢＭＳデータ伝送のためのチャネルを設定する。
【０１２１】
前記段階を通じて該当ＭＢＭＳデータ伝送のためのチャネルが設定されると、前記１９０３段階で自分が選択したＭＢＭＳの開始の通報を受けたＵＥは、１９０７段階で自分が該当ＭＢＭＳサービスを実際に受信するので、このための無線チャネルが必要であることを前記各ＲＮＣに知らせるようになる。前記１９０７段階は、前記１９０４段階以前に遂行するように具現することができる。前記各ＲＮＣは、１９０８段階で実際に該当ＭＢＭＳデータを前記ＵＥに伝達するためのチャネルに関連された情報を知らせるようになる。
【０１２２】
一方、前記ＳＧＳＮ２は、１９０９段階で前記該当ＭＢＭＳデータを前記ＲＮＣ１に伝達し、前記ＲＮＣ１は、前記ＳＧＳＮ２から提供された前記該当ＭＢＭＳデータを１９１０段階で前記ＵＥに伝達する。そして、これ以上伝達するＭＢＭＳデータが存在しないと、前記ＲＮＣ１は、１９１１段階を通じて前記ＵＥに現在設定されているチャネルの解除を要請することにより前記チャネルを解除する。
【図面の簡単な説明】
【０１２３】
【図１】本発明の実施形態によるマルチキャストマルチメディア放送サービスのための符号分割多重接続移動通信システムを概念的に示している図。
【図２】マルチキャストマルチメディア放送サービスによる伝送経路を設定するための制御流れを示している図。
【図３】現在サービス中であるマルチキャストマルチメディア放送サービスによる伝送経路を割り当てるためのシグナリングを示している図。
【図４】追後サービス予定のマルチキャストマルチメディア放送サービスによる伝送経路を割り当てるためのシグナリングを示している図。
【図５】本発明の実施形態を適用するためのＩｕ−Ｆｌｅｘ構造を有する移動通信システムの構成を概念的に示している図。
【図６】本発明の実施形態によるＩｕ−Ｆｌｅｘ構造を有する移動通信システムで提案されることができる伝送経路割り当て例を概念的に示している図。
【図７】本発明の一実施形態によるＩｕ−Ｆｌｅｘ構造を有する移動通信システムで初期マルチキャストマルチメディア放送サービスにおいて伝送経路を割り当てるためのシグナリング手続きを示している図。
【図８】本発明の一実施形態によるＩｕ−Ｆｌｅｘ構造を有する移動通信システムでマルチキャストマルチメディア放送サービスにおいて新たな伝送経路を割り当てるためのシグナリング手続きの一例を示している図。
【図９】本発明の一実施形態によるＩｕ−Ｆｌｅｘ構造を有する移動通信システムでマルチキャストマルチメディア放送サービスにおいて新たな伝送経路を割り当てるためのシグナリング手続きの他の例を示している図。
【図１０】本発明の一実施形態によるＩｕ−Ｆｌｅｘ構造を有する移動通信システムで追後サービス予定のマルチキャストマルチメディア放送サービスの開始を対象移動端末に知らせるためのシグナリング手続きを示している図。
【図１１】本発明の一実施形態による移動通信システムで提供されているマルチキャストマルチメディア放送サービスを移動端末が選択する時に遂行されるシグナリング手続きを示している図。
【図１２】本発明の一実施形態によるＩｕ−Ｆｌｅｘ構造を有する移動通信システムでサービス中であるマルチキャストマルチメディア放送サービスの終了のためのシグナリング手続きを示している図。
【図１３】本発明の他の実施形態によるＩｕ−Ｆｌｅｘ構造を有する移動通信システムで初期マルチキャストマルチメディア放送サービスにおいて伝送経路を割り当てるためのシグナリング手続きを示している図。
【図１４】本発明の他の実施形態によるＩｕ−Ｆｌｅｘ構造を有する移動通信システムでマルチキャストマルチメディア放送サービスにおいて新たな伝送経路を割り当てるためのシグナリング手続きの一例を示している図。
【図１５】本発明の他の実施形態によるｐｏｏｌ構造を有する移動通信システムでマルチキャストマルチメディア放送サービスにおいて新たな伝送経路を割り当てるためのシグナリング手続きの他の例を示している図。
【図１６】本発明の他の実施形態による移動通信システムで提供されているマルチキャストマルチメディア放送サービスを移動端末が選択する時に遂行されるシグナリング手続きを示している図。
【図１７】本発明の他の実施形態によるＩｕ−Ｆｌｅｘ構造を有する移動通信システムでサービス中であるマルチキャストマルチメディア放送サービスの終了のためのシグナリング手続きを示している図。
【図１８】本発明の一実施形態によるＩｕ−Ｆｌｅｘ構造を有する移動通信システムで初期マルチキャストマルチメディア放送サービスにおいて伝送経路を割り当てるために非接続階層（ｎｏｎ  ａｃｃｅｓｓ  ｓｔｒａｔｕｍ、以下、ＮＡＳ）メッセージを使用したシグナリング手続きを示している図。
【図１９】本発明の実施形態によるＩｕ−Ｆｌｅｘ構造を有する移動通信システムで実際マルチキャストマルチメディア放送サービスデータの伝送が開始した後、サービスが終了される時点までデータ伝送チャネルの設定及び解除のためのシグナリング手続きの例に該当する図。
【符号の説明】
【０１２４】
１０１    ＵＥ
１０２    ＵＴＲＡＮ
１０３    ＳＧＳＮ
１０４    ＧＧＳＮ
１０５    ＭＢ−ＳＣ
１０６    ＣＰ
１０７    ＣＢＣ
１０８    ＨＬＲ
【図１】
2004166197.tif 000005
【図２】
2004166197.tif 000006
【図３】
2004166197.tif 000007
【図４】
2004166197.tif 000008
【図５】
2004166197.tif 000009
【図６】
2004166197.tif 000010
【図７】
2004166197.tif 000011
【図８】
2004166197.tif 000012
【図９】
2004166197.tif 000013
【図１０】
2004166197.tif 000014
【図１１】
2004166197.tif 000015
【図１２】
2004166197.tif 000016
【図１３】
2004166197.tif 000017
【図１４】
2004166197.tif 000018
【図１５】
2004166197.tif 000019
【図１６】
2004166197.tif 000020
【図１７】
2004166197.tif 000021
【図１８】
2004166197.tif 000022
【図１９】
2004166197.tif 000023
【外国語明細書】
2004166197.tif 000024
2004166197.tif 000025
2004166197.tif 000026
2004166197.tif 000027
2004166197.tif 000028
2004166197.tif 000029
2004166197.tif 000030
2004166197.tif 000031
2004166197.tif 000032
2004166197.tif 000033
2004166197.tif 000034
2004166197.tif 000035
2004166197.tif 000036
2004166197.tif 000037
2004166197.tif 000038
2004166197.tif 000039
2004166197.tif 000040
2004166197.tif 000041
2004166197.tif 000042
2004166197.tif 000043
2004166197.tif 000044
2004166197.tif 000045
2004166197.tif 000046
2004166197.tif 000047
2004166197.tif 000048
2004166197.tif 000049
2004166197.tif 000050
2004166197.tif 000051
2004166197.tif 000052
2004166197.tif 000053
2004166197.tif 000054
2004166197.tif 000055
2004166197.tif 000056
2004166197.tif 000057
2004166197.tif 000058
2004166197.tif 000059
2004166197.tif 000060
2004166197.tif 000061
2004166197.tif 000062
2004166197.tif 000063
2004166197.tif 000064
2004166197.tif 000065
2004166197.tif 000066
2004166197.tif 000067
2004166197.tif 000068
2004166197.tif 000069
2004166197.tif 000070
2004166197.tif 000071
2004166197.tif 000072
2004166197.tif 000073
2004166197.tif 000074
2004166197.tif 000075
2004166197.tif 000076
2004166197.tif 000077
2004166197.tif 000078
2004166197.tif 000079